(57)【要約】【課題】環境変動などがあっても、クリーニングブレードで堰き止められる転写残トナー量を少なくすることができるクリーニング装置および画像形成装置を提供する。【解決手段】第１クリーニング補助手段６０でプラス極性の転写残トナーをほとんど感光体から除去し、第２クリーニング補助手段７０でほとんどのマイナス極性の転写残トナーを感光体から除去することで、環境変動によって、マイナス極性の転写残トナーが多くなったりプラス極性の転写残トナーが多くなったりしても、第１および第２クリーニング補助手段でほとんどの転写残トナーを除去することができるので、クリーニングブレード２２で堰き止める転写残トナーが所定量を越えることを抑制することができる。【選択図】図１
2007101968.tif 000002
【特許請求の範囲】
【請求項１】
表面移動する被清掃体の表面に接触して被清掃体に付着したトナーを除去するためのクリーニングブレードを備えるクリーニング装置において、
該クリーニングブレードよりも該被清掃体の表面移動方向上流側に所定の極性を有するトナーを該被清掃体から静電的に除去する第１除去手段と、該第１除去手段よりも表面移動方向上流側に該第１除去手段が除去するトナーの極性と異なる極性のトナーを該被清掃体から静電的に除去する第２除去手段とを備えたことを特徴とするクリーニング装置。
【請求項２】
請求項１のクリーニング装置において、
上記第１除去手段で除去したトナーおよび上記第２除去手段で除去したトナーを回収する回収手段を備えたことを特徴とするクリーニング装置。
【請求項３】
請求項２のクリーニング装置において、
上記回収手段は、上記第１除去手段に付着したトナーを回収する第１回収手段と、上記第２除去手段に付着したトナーを回収する第２回収手段とを備えたことを特徴とするクリーニング装置。
【請求項４】
請求項２のクリーニング装置において、
上記第２除去手段で除去したトナーは、該第２除去手段でトナーの極性を反転させて上記被清掃体へ放出し、該被清掃体へ放出されたトナーを上記第１除去手段に静電的に吸着させて、該第１除去手段から上記回収手段に回収されることを特徴とするクリーニング装置。
【請求項５】
請求項４のクリーニング装置において、
上記第２除去手段を固定ブラシとしたことを特徴とするクリーニング装置。
【請求項６】
請求項４のクリーニング装置において、
上記第２除去手段をシート状弾性体としたことを特徴とするクリーニング装置。
【請求項７】
請求項１乃至６いずれかのクリーニング装置において、
上記第１除去手段および上記第２除去手段のうち、少なくとも第１除去手段を回転可能に支持されたブラシローラとしたことを特徴とするクリーニング装置。
【請求項８】
請求項１乃至６いずれかのクリーニング装置において、
上記第１除去手段および上記第２除去手段のうち、少なくとも第１除去手段を回転可能に支持されたローラ部材としたことを特徴とするクリーニング装置。
【請求項９】
請求項１乃至８いずれかのクリーニング装置において、
上記第１除去手段および上記第２除去手段には、それぞれ極性の異なる直流電圧が印加されることを特徴とするクリーニング装置。
【請求項１０】
請求項１乃至９いずれかのクリーニング装置において、
直流電圧に交流電圧が重畳された電圧を上記第２除去手段に印加したことを特徴とする画像形成装置。
【請求項１１】
請求項７または８のクリーニング装置において、
上記第１除去手段と上記第２除去手段とのうち少なくとも該第１除去手段の電気抵抗値が高抵抗であることを特徴とするクリーニング装置。
【請求項１２】
請求項７乃至９いずれかのクリーニング装置において、
上記第２除去手段の電気抵抗値が、上記第１除去手段よりも低いことを特徴とするクリーニング装置。
【請求項１３】
像担持体と、該像担持体を帯電せしめる帯電手段と、該像担持体上に静電潜像を形成する潜像形成手段と、該像担持体上の静電潜像をトナーにより現像する現像手段と、該像担持体上のトナー像を転写体又は記録媒体に転写する転写手段と、転写後の像担持体に付着した転写残トナーを除去するクリーニング装置とを備えた画像形成装置において、
該クリーニング装置として、請求項１乃至１２いずれかのクリーニング装置を用いたことを特徴とする画像形成装置。
【請求項１４】
請求項１３の画像形成装置において、
上記転写体表面に付着した不要なトナーを除去する転写体クリーニング装置を有し、該転写体クリーニング装置として、請求項１乃至１１いずれかのクリーニング装置を用いたことを特徴とする画像形成装置。
【請求項１５】
請求項１３または１４の画像形成装置において、
上記記録媒体を担持して搬送する紙搬送部材と、該紙搬送部材に付着した不要なトナーを除去する紙搬送部材クリーニング装置とを備え、該紙搬送部材クリーニング装置として、
請求項１乃至１１いずれかのクリーニング装置を用いたことを特徴とする画像形成装置。
【請求項１６】
請求項１３乃至１５いずれかの画像形成装置において、
それぞれ色の異なるトナーを収容した複数の現像装置を備え、像担持体に各現像装置に収容されたトナー色に対応したトナー像を該像担持体に順次作成して、上記転写体に順次重ね合わせてカラー画像を形成する画像形成装置。
【請求項１７】
請求項１３乃至１５いずれかの画像形成装置において、
上記像担持体と、上記帯電手段と、上記潜像形成手段と、上記現像手段とを有する画像形成ユニットを複数備え、上記転写体または記録媒体に各画像形成ユニットで形成したそれぞれ異なる色のトナー像を順次重ね合わせてカラー画像を形成することを特徴とする画像形成装置。
【請求項１８】
請求項１３乃至１８いずれかの画像形成装置において、
上記トナーとして、形状係数ＳＦ１が、１００〜１５０のトナーを用いたことを特徴とする画像形成装置。
【請求項１９】
請求項１３乃至１８のいずれかの画像形成装置において、
上記像担持体として、感光層がアモルファスシリコンからなるものを用いたことを特徴とする画像形成装置。
【請求項２０】
請求項１３乃至１８いずれかの画像形成装置において、
上記像担持体として、表面層又は感光層が粒子状物質を含有する材料からなるものを用いたことを特徴とする画像形成装置。
【請求項２１】
請求項１３乃至１８のいずれかの画像形成装置において、
上記像担持体として、架橋型電荷輸送材料を有するものを用いたことを特徴とする画像形成装置
【請求項２２】
像担持体と少なくともクリーニング装置とを一体に支持し、画像形成装置本体に対して着脱自在なプロセスカートリッジにおいて、
該クリーニング装置として、請求項１乃至１２のクリーニング装置を用いたことを特徴とする画像形成装置。
【発明の詳細な説明】
【技術分野】
【０００１】
本発明は、表面移動する被清掃体の表面に接触して被清掃体に付着したトナーを除去するためのクリーニングブレードを備えるクリーニング装置、及びこのクリーニング装置を搭載するプリンタ、ファクシミリ、複写機などの画像形成装置に関するものである。
【背景技術】
【０００２】
従来、電子写真式の画像形成装置では、潜像担持体や中間転写体などの被清掃体たる像担持体について、記録体や他の像担持体へトナー像を転写した後の表面に付着した不必要な転写残トナーはクリーニング装置によって除去している。
このクリーニング装置のクリーニング部材として、一般的に構成を簡単にでき、クリーニング性能も優れていることから、クリーニングブレードを用いたものがよく知られている。
【０００３】
また、近年の高画質化の要求に応えるべく、重合法等により形成された球形に近いトナー（以下、「球形トナー」という。）を用いた画像形成装置が知られている。この球形トナーは、従来の粉砕トナー（異形トナー）に比べて転写効率が高いなどの特徴があり、近年の高画質化の要求に応えることが可能であることが知られている。しかし、球形トナーは、従来の粉砕トナーをクリーニングするためのクリーニングブレードを用いて像担持体表面から除去しようとしても十分に除去することが困難であり、クリーニング不良が発生し、黒スジ画像が発生するという問題を有している。特に、ジャム発生時や、画像面積率の高い画像を形成したときなど、転写残トナーが大量に発生したときに、このような黒スジ画像が発生していた。
【０００４】
図３３は、クリーニングブレードに堰き止められる直前の感光体上に担持された転写残トナーの量と、クリーニングブレード通過後の感光体上に担持された転写残トナー量（クリーニング残ＩＤ）との関係を示すグラフである。
クリーニング残ＩＤは、次のようにして求めた値である。すなわち、クリーニングブレード通過後の感光体上のトナーをスコッチテープに転写し、紙上に貼り付けそれを分光測色計（アムテック社製Xライト）で反射濃度を測定する。一方、スコッチテープのみを紙に貼り付け分光測色計で反射濃度を測定し、感光体上トナーが付着したスコッチテープの反射濃度からスコッチテープのみの反射濃度を引いた値で有る。ＩＤとトナー個数は相関関係が有り、トナー個数が多いとＩＤの値は増加する。従って、ＩＤでクリーニング性の判断ができる。
【０００５】
図からわかるように、クリーニングブレードブレードへ堰き止められる転写残トナー量が多くなるにつれて、クリーニングブレードを通過する転写残トナー（クリーニング残ＩＤ）が多くなっていることがわかる。そして、クリーニングブレードブレードへ堰き止められる転写残トナー量が０．０５［ｍｇ／ｃｍ２］を越えると、スジ状の異常画像が現れた。
【０００６】
スジ状の異常画像は、次のようなメカニズムで発生していると考えられる。感光体の表面移動に伴って搬送されてきた球形トナーは、クリーニングブレードとの当接部分において一旦は堰き止められる。その後、この球形トナーは、表面移動する感光体ドラム１の表面との接触部分に働く摩擦力を駆動源として回転し始める。そして、球形トナーは、その回転力によって球形トナーと接触するクリーニングブレード部分にめり込み、クリーニングブレードを変形（めり込み変形）させながら、クリーニングブレードと感光体表面との当接部分を回転しながら進んでいく。その結果、球形トナーは、クリーニングブレードと感光体との当接部分をすり抜けてしまう。このようなすり抜けが発生すると、図３４（ａ）に示すように、すり抜けが発生した部分の周りの転写残トナーが、めり込んで変形した隙間に入り込んでいき、クリーニングブレード２２２をすり抜けて行く。その結果、クリーニングブレード２２２をすり抜けた転写残トナーがスジ状に抜けて行くこととなり、このスジ状に抜けた転写残トナーによって、画像にスジ状の異常画像が形成されてしまう。
一方、転写残トナーが少ないときは、図３４（ｂ）に示すように、クリーニングブレード２２２によって堰き止められるトナー量が少ないので、すり抜けが発生しても、めり込んで変形した隙間に入り込んでいく転写残トナーが少ない。その結果、すり抜けた転写残トナーがスジ状にはならないため、スジ状の異常画像が生じないのである。
【０００７】
特許文献１〜２には、クリーニングブレードよりも感光体表面移動方向上流側に、転写残トナーを静電的に吸着させて除去するクリーニング補助手段を設けたものが記載されている。
【０００８】
図３５は、特許文献１〜２の画像形成装置と同様な構成を備えたクリーニングユニット２２０を有する画像形成装置を示す図である。このクリーニングユニット２２０は、クリーニングブレード２２２と、このクリーニングブレード２２２よりも感光体１０１の表面移動方向上流側にマイナス極性の転写残トナーを吸着させて除去するクリーニング補助手段２７０とを有している。
【０００９】
クリーニング補助手段２７０は、ローラ状の芯材の表面に無数の起毛たるブラシが植毛された除去手段たるファーブラシ２２７と、このファーブラシ２２７に付着した転写残トナーを回収する回収手段たる回収ローラ２２８と、回収ローラ２２８に付着した転写残トナーを掻き落とすブレードホルダ２２９に保持されたブレード状のスクレーパ部材２３０とを有している。回収ローラ２２８には、図示しない電源装置から２００［Ｖ］の直流（ＤＣ）バイアスが印加されている。回収ローラ２２８に接触するファーブラシ２２７は、回収ローラ２２８を介して印加バイアスが印加されることでプラスに帯電する。このことにより、感光体１０１表面の転写残トナーは、摺擦するブラシによって感光体上のマイナス極性の転写残トナーが静電的に捕捉される。
【００１０】
上記ファーブラシ２２７に捕捉された転写残トナーは、ファーブラシ２２７の回転に伴って回収ローラ２２８との接触位置に到達する。そして、ファーブラシ２２７よりも大きい電位（トナーとは反対極性のプラス側に）になっている回収ローラ２２８表面に静電的に転移した後、回収ローラ２２８の回転に伴ってスクレーパ部材２２９のエッジに突き当たって掻き取られる。
【００１１】
一方、プラス極性に帯電している転写残トナーは、ファーブラシ２２７によって回収されずに通過する。通過したプラス極性の転写残トナーは、クリーニングブレード２２２に堰き止めらて、掻き落とされる。
【００１２】
図３６は、感光体１０１上に担持されたトナーの転写直前における帯電電位分布と、転写後に感光体１０１上に残留した転写残トナーの帯電電位分布を示すグラフである。図３６に示すように、転写直前におけるトナーは、そのほとんどがマイナス極性に帯電している。一方、転写後の転写残トナーは、その半分が１次転写ローラ１１５に印加されたプラス極性のバイアスによる電荷注入を受けるなどして、帯電極性がプラス極性に反転している。一般に、転写残トナーのほとんどは、トナーの組成不良などにより所望どおりの帯電特性が得られない不良トナーである。そのため、転写残トナーの半分が、プラス極性バイアスによってプラス極性に反転してしまうのである。
【００１３】
従って、クリーニング補助手段２７０で転写残トナーの半分を除去することができ、クリーニングブレード２２２に堰き止められる転写残トナーを半分にすることができる。よって、転写残トナーのすり抜けが発生しても、すり抜けた転写残トナーがスジ状になることが抑制され、スジ状の異常画像が発生するのを抑制することができる。
【００１４】
【特許文献１】特開昭６３−２１０９８３号公報
【特許文献２】特開平１０−７４０２８号公報
【特許文献３】特許第３０５０６８９号公報
【特許文献４】特開２００４−１０１６５９号公報
【発明の開示】
【発明が解決しようとする課題】
【００１５】
しかしながら、環境が変動すると、スジ状の異常画像が発生してしまう不具合があった。
図３７は、各環境における感光体１０１上に担持されたトナーの転写直前における帯電電位分布を示す図である。図３７に示すように、高温高湿環境下においては、常温常湿環境下よりも帯電分布がプラスにシフトしており、低温低湿環境下においては、常温常湿環境下よりも帯電分布がマイナスにシフトしている。よって、高温高湿環境下においては、図３８に示すように、転写後の感光体上に担持されている転写残トナーのほとんどがプラス極性に帯電してしまう。その結果、クリーニング補助手段２７０では、ほとんど転写残トナーを回収することができず、そのほとんどがクリーニングブレード２２２によって堰き止められてしまい、上述したメカニズムによってスジ状の異常画像が生じてしまう。
【００１６】
また、クリーニング補助手段２７０でプラス極性の転写残トナーを除去するようにしたとしても、図３９に示すように、低温低湿環境下では、転写残トナーのほとんどがマイナスに帯電している。その結果、低温低湿環境下では、クリーニング補助手段２７０で転写残トナーをほとんど除去することができず、スジ状の異常画像が生じてしまう。
【００１７】
また、特許文献３や４には、次のようなクリーニング装置が記載されている。すなわち、感光体に接触する第１除去手段たる第１のファーブラシと、この第１のファーブラシに接触する第１回収手段たる第１の回収ローラと、第１の回収ローラに接触する第１のスクレーパとを備えた第１クリーニング手段と、感光体に接触する第２除去手段たる第２のファーブラシと、この第２のファーブラシに接触する第２回収手段たる第２の回収ローラと、第２の回収ローラに接触する第２のスクレーパとを備えた第２クリーニング手段とを有するクリーニング装置である。
【００１８】
第１のクリーニング手段は、第２のクリーニング手段よりも感光体移動方向下流側に設けられている。第１の回収ローラには、電源装置によってマイナス極性のバイアスが印加されており、第２の回収ローラには、電源装置によってプラス極性のバイアスが印加されている。第１の回収ローラに接触する第１のファーブラシは、第１の回収ローラに印加されたマイナス極性のバイアスによってマイナスに帯電する。一方、第２の回収ローラに接触する第２のファーブラシは、第２の回収ローラに印加されたプラス極性のバイアスによってプラスに帯電する。
【００１９】
まず、転写紙に転写されずに感光体表面に残った転写残トナーのうち、マイナス極性の転写残トナーは、プラス極性の第２ファーブラシによって静電的に捕捉される。そして、第２のファーブラシよりも（トナーと反対極性のプラス側に）大きい電位になっている第２の回収ローラ表面に静電的に転移した後、第２の回収ローラの回転に伴って第２のスクレーパのエッジに突き当たって掻き取られる。
【００２０】
第２のファーブラシによって静電的に捕捉されなかったプラス極性の感光体上の転写残トナーは、第１クリーニング手段へ搬送される。第１クリーニング手段へ搬送されると、第１のファーブラシによって感光体上のプラス極性の転写残トナーが静電的に捕捉される。第１のファーブラシに捕捉された転写残トナーは、第１の回収ローラに静電的に転移し第１のスクレーパによって掻き取られる。
【００２１】
このように、特許文献３や４に記載のクリーニングユニットは、感光体上の転写残トナーをクリーニングブレードで機械的に除去するのではなく、第１ファーブラシと第２ファーブラシとで静電的に除去するのである。
【００２２】
しかしながら、第１ファーブラシと第２ファーブラシとで感光体上の転写残トナーを静電的に除去する方法でも、感光体上の転写残トナーを良好にクリーニングすることができなかった。
【００２３】
ファーブラシでは感光体上の転写残トナーを良好に除去できないのは、次のような理由が考えられる。すなわち、ファーブラシによって静電的に捕捉された転写残トナーが回収ローラへ静電的に転移するときに、転写残トナーへ電荷が注入されて極性が反転してしまう。この極性が反転した転写残トナーは、回収ローラに静電的に転移せずに、そのままファーブラシに捕捉されて回収ローラを通過する。回収ローラを通過した極性が反転した転写残トナーがファーブラシによって感光体と対向する位置まで搬送されると、ファーブラシから感光体へ静電的に転移して、感光体に再付着する。その結果、ファーブラシ通過後の感光体には、所定量の転写残トナーが付着してしまうと考えられる。
第２のファーブラシに捕捉された転写残トナーの極性が反転して、再び感光体に転移しても、第2のファーブラシよりも感光体移動方向下流側に配置されている第１のファーブラシで捕捉して除去することができる。しかし、第１のファーブラシから再び感光体に転移した転写残トナーは、除去されることがない。その結果、斑点状の異常画像が生じるおそれがある。環境変動によって転写残トナーのうち、第１ファーブラシが静電的に捕捉する極性の転写残トナーが多くなると、回収ローラによって極性が反転して再び感光体に転移する転写残トナーが多くなり、斑点状の異常画像が顕著に現れてしまう。
【００２４】
本発明は、上記問題に鑑みなされたものであり、その目的とするところは、環境変動などがあっても、クリーニングブレードで堰き止められる転写残トナー量を少なくすることができるクリーニング装置および画像形成装置を提供することである。
【課題を解決するための手段】
【００２５】
上記目的を達成するために、請求項１の発明は、表面移動する被清掃体の表面に接触して被清掃体に付着したトナーを除去するためのクリーニングブレードを備えるクリーニング装置において、該クリーニングブレードよりも該被清掃体の表面移動方向上流側に所定の極性を有するトナーを該被清掃体から静電的に除去する第１除去手段と、該第１除去手段よりも表面移動方向上流側に該第１除去手段が除去するトナーの極性と異なる極性のトナーを該被清掃体から静電的に除去する第２除去手段とを備えたことを特徴とするものである。
また、請求項２の発明は、請求項１のクリーニング装置において、上記第１除去手段で除去したトナーおよび上記第２除去手段で除去したトナーを回収する回収手段を備えたことを特徴とするものである。
また、請求項３の発明は、請求項２のクリーニング装置において、上記回収手段は、上記第１除去手段に付着したトナーを回収する第１回収手段と、上記第２除去手段に付着したトナーを回収する第２回収手段とを備えたことを特徴とするものである。
また、請求項４の発明は、請求項２のクリーニング装置において、上記第２除去手段で除去したトナーは、該第２除去手段でトナーの極性を反転させて上記被清掃体へ放出し、該被清掃体へ放出されたトナーを上記第１除去手段に静電的に吸着させて、該第１除去手段から上記回収手段に回収されることを特徴とするものである。
また、請求項５の発明は、請求項４のクリーニング装置において、上記第２除去手段を固定ブラシとしたことを特徴とするものである。
また、請求項６の発明は、請求項４のクリーニング装置において、上記第２除去手段をシート状弾性体としたことを特徴とするものである。
また、請求項７の発明は、請求項１乃至６いずれかのクリーニング装置において、上記第１除去手段および上記第２除去手段のうち、少なくとも第１除去手段を回転可能に支持されたブラシローラとしたことを特徴とするものである。
また、請求項８の発明は、請求項１乃至６いずれかのクリーニング装置において、上記第１除去手段および上記第２除去手段のうち、少なくとも第１除去手段を回転可能に支持されたローラ部材としたことを特徴とするものである。
また、請求項９の発明は、請求項１乃至８いずれかのクリーニング装置において、上記第１除去手段および上記第２除去手段には、それぞれ極性の異なる直流電圧が印加されることを特徴とするものである。
また、請求項１０の発明は、請求項１乃至９いずれかのクリーニング装置において、直流電圧に交流電圧が重畳された電圧を上記第２除去手段に印加したことを特徴とするものである。
また、請求項１１の発明は、請求項７または８のクリーニング装置において、上記第１除去手段と上記第２除去手段とのうち少なくとも該第１除去手段の電気抵抗値が高抵抗であることを特徴とするものである。
また、請求項１２の発明は、請求項７乃至９いずれかのクリーニング装置において、上記第２除去手段の電気抵抗値が、上記第１除去手段よりも低いことを特徴とするものである。
また、請求項１３の発明は、像担持体と、該像担持体を帯電せしめる帯電手段と、該像担持体上に静電潜像を形成する潜像形成手段と、該像担持体上の静電潜像をトナーにより現像する現像手段と、該像担持体上のトナー像を転写体又は記録媒体に転写する転写手段と、転写後の像担持体に付着した転写残トナーを除去するクリーニング装置とを備えた画像形成装置において、該クリーニング装置として、請求項１乃至１２いずれかのクリーニング装置を用いたことを特徴とするものである。
また、請求項１４の発明は、請求項１３の画像形成装置において、上記転写体表面に付着した不要なトナーを除去する転写体クリーニング装置を有し、該転写体クリーニング装置として、請求項１乃至１１いずれかのクリーニング装置を用いたことを特徴とするものである。
また、請求項１５の発明は、請求項１３または１４の画像形成装置において、上記記録媒体を担持して搬送する紙搬送部材と、該紙搬送部材に付着した不要なトナーを除去する紙搬送部材クリーニング装置とを備え、該紙搬送部材クリーニング装置として、請求項１乃至１１いずれかのクリーニング装置を用いたことを特徴とするものである。
また、請求項１６の発明は、請求項１３乃至１５いずれかの画像形成装置において、それぞれ色の異なるトナーを収容した複数の現像装置を備え、像担持体に各現像装置に収容されたトナー色に対応したトナー像を該像担持体に順次作成して、上記転写体に順次重ね合わせてカラー画像を形成する画像形成装置。
また、請求項１７の発明は、請求項１３乃至１５いずれかの画像形成装置において、上記像担持体と、上記帯電手段と、上記潜像形成手段と、上記現像手段とを有する画像形成ユニットを複数備え、上記転写体または記録媒体に各画像形成ユニットで形成したそれぞれ異なる色のトナー像を順次重ね合わせてカラー画像を形成することを特徴とするものである。
また、請求項１８の発明は、請求項１３乃至１８いずれかの画像形成装置において、上記トナーとして、形状係数ＳＦ１が、１００〜１５０のトナーを用いたことを特徴とするものである。
また、請求項１９の発明は、請求項１３乃至１８のいずれかの画像形成装置において、上記像担持体として、感光層がアモルファスシリコンからなるものを用いたことを特徴とするものである。
また、請求項２０の発明は、請求項１３乃至１８いずれかの画像形成装置において、上記像担持体として、表面層又は感光層が粒子状物質を含有する材料からなるものを用いたことを特徴とするものである。
また、請求項２１の発明は、請求項１３乃至１８のいずれかの画像形成装置において、上記像担持体として、架橋型電荷輸送材料を有するものを用いたことを特徴とするものである。
【発明の効果】
【００２６】
請求項１乃至２２の発明によれば、まず、被清掃体上の所定の極性を有するトナーが第２除去手段によって静電的に除去される。次に、第２除去手段を通過後の被清掃体上トナーうち、第２除去手段が静電的に除去する極性と異なる極性のトナーを第１除去手段によって静電的に除去する。これにより、第１除去手段通過後の第１除去手段通過後の被清掃体表面にはほとんどトナーが付着していない。これにより、第１除去手段よりも被清掃体表面移動方向下流側に設けられているクリーニングブレードによって堰き止められる被清掃体上のトナーをわずかにできる。よって、クリーニングブレードに堰き止められたトナーがクリーニングブレードをめり込み変形させてクリーニングブレードをすり抜けても、このめり込み変形によってできた被清掃体との隙間に流れ込むトナーは、ほとんどない。その結果、クリーニングブレードのすり抜けが発生した部分にトナーによって主走査線方向に長く延びるスジ状の線が形成されることがない。よって、被清掃体が感光体の場合は、スジ状の異常画像の発生を抑制することができる。
また、環境変動などによって、被清掃体表面に付着するトナーのほとんど極性がプラスとマイナスのどちから一方極性になっていても、それぞれ異なる極性のトナーを静電的に被清掃体から除去する除去手段を備えているので、以下のような効果が生まれる。すなわち、環境変動によって、被清掃体上のトナーのほとんど極性がプラスとなっている場合は、第１除去手段と第２除去手段のうちの一方で、被清掃体のプラス極性のトナーを除去することで、第１除去手段通過後の被清掃体表面にほとんどトナーを付着させないようにすることができる。よって、環境変動によって、被清掃体上のトナーのほとんど極性がプラスとなっていても、第１除去手段よりも被清掃体表面移動方向下流側に設けられているクリーニングブレードに堰き止められる被清掃体上のトナーはわずかとなる。一方、環境変動によって、被清掃体上のトナーのほとんど極性がマイナスとなっている場合は、他方の除去手段が、被清掃体のマイナス極性のトナーを除去することなり、第１除去手段通過後の被清掃体表面にはほとんどトナーが付着しない。よって、環境変動によって、被清掃体上のトナーのほとんど極性がマイナスとなっていても、第１除去手段よりも被清掃体表面移動方向下流側に設けられているクリーニングブレードに堰き止められる被清掃体上のトナーもわずかとなる。このように、環境変動が生じてもクリーニングブレードによって堰き止められる被清掃体上のトナーをわずかにできる。その結果、上述同様、クリーニングブレードのすり抜けが発生した部分にトナーによって主走査線方向に長く延びるスジ状の線が形成されることがない。よって、被清掃体が感光体の場合は、スジ状の異常画像の発生を抑制することができる。
また、第１除去手段によって被清掃体から静電的に除去されたトナーに電荷が注入されてトナーの極性が反転して、再び被清掃体に付着しても、第１除去手段よりも被清掃体移動方向下流側のクリーニングブレードで被清掃体上のトナーを除去することができる。これにより、従来の第１除去手段で所定の極性を有するトナーを静電的に除去し、第１除去手段で除去する極性と異なる極性のトナーを第２除去手段で除去するものに比べて、クリーニング性能を向上させることができる。
【発明を実施するための最良の形態】
【００２７】
以下、本発明を画像形成装置である電子写真複写機（以下、単に「複写機」という。）に適用した一実施形態について説明する。
図１は、本実施形態に係る複写機の要部を示す概略構成図である。この複写機は、単一色の複写を行うものであり、図示しない画像読み取り部で読み取った画像データに基づいてモノクロ画像形成を行う。
【００２８】
まず、本実施形態に係る複写機全体の構成について説明する。
図１において、複写機は、像担持体としてのドラム状の感光体１を備えている。感光体１の周囲には帯電手段としての帯電ローラ３、潜像をトナー像化する現像手段としての現像装置６、該現像装置６により形成されたトナー像を被転写体としての転写紙Ｐに転写する転写手段としての転写ローラ１５、転写後の感光体１０表面に残留するトナーをクリーニングするクリーニング装置たるクリーニングユニット２０、感光体１表面を除電する除電ランプ２等が配置されている。また、除電ランプ２と帯電ローラ３との間には、除電ランプの光を遮光する遮光板４０が設けられている。
【００２９】
上記帯電ローラ３は、感光体１表面に所定の距離で非接触で配置され、感光体１を所定の極性、所定の電位に帯電するものである。本実施形態においては、感光体１をマイナス極性に一様に帯電させる。
【００３０】
感光体１は、図示しない露光装置から画像データに基づいてレーザー光４が照射され静電潜像が形成される。
【００３１】
上記現像装置６は、磁界発生手段としてのマグネットを内包した現像剤担持体としての現像ローラ８を有している。この現像ローラ８には、図示しない電源から現像バイアスが印加されるようになっている。現像装置６のケーシング７内には、該ケーシング７内に収容されたトナーとキャリアとからなる二成分現像剤を互いに逆方向に搬送しながら攪拌する２本の攪拌スクリュー９、１０が設けられている。また、現像ローラ８に担持された現像剤を規制するためのドクターブレード５も設けられている。
上記２本の攪拌スクリュー９、１０によって撹拌・搬送された現像剤中のトナーは、負極性に帯電される。そして、現像剤は現像ローラ８に内包されたマグネットの作用により、現像ローラ８に汲み上げられる。汲み上げられた現像剤は、ドクターブレード５により規制され、感光体１と対向する現像領域でマグネットの磁力により穂立ち状態となって磁気ブラシを形成する。
【００３２】
上記転写ローラ１５には、図示しない電源から転写バイアスが印加されるようになっている。
【００３３】
次に、上記構成の複写機における画像形成動作（コピー動作）を説明する。
上記構成において、図示しない操作部のコピースタートボタンが押されると、図示しない画像読み取り部で原稿の読み取りが開始されるとともに、上記帯電ローラ３、現像ローラ８、転写ローラ１５に、それぞれ所定の電圧又は電流が順次所定のタイミングで印加される。また、これと同期して、駆動手段としての感光体駆動モータ（不図示）により感光体１が図中矢印Ａ方向に回転駆動される。また、感光体１の回転駆動と同時に、現像ローラ８、転写ローラ１５、攪拌スクリュー９、１０、トナー排出スクリュー６２も所定の方向に回転駆動される。
【００３４】
感光体１が図中矢印Ａ方向に回転すると、まず感光体表面が、帯電装置３によって例えば−９００Ｖの電位に帯電される。そして、図示しない露光装置から画像信号に対応したレーザー光４が感光体１上に照射され、レーザー光４が照射された部分の感光体１上の電位が例えば−１５０Ｖに低下され、静電潜像が形成される。
【００３５】
静電潜像の形成された感光体１は、現像装置６との対向部で現像ローラ６上に形成された現像剤の穂で感光体１表面を摺擦される。このとき、現像ローラ８上の負帯電トナーは、現像ローラ８に印加された例えば−６００Ｖの現像バイアスによって、静電潜像側に移動し、トナー像化（現像）される。このように、本実施形態では、感光体１上に形成された静電潜像は、現像装置６によって、負極性に帯電されたトナーにより反転現像される。
【００３６】
感光体１上に形成されたトナー像は、図示しない給紙部からレジストローラ１１、１２を経て、ガイド板１３、１４にガイドされて感光体１と転写ローラ１５との間に形成される転写領域に給紙される転写紙Ｐに転写される。この転写時には、転写ローラ１５に、例えば＋１０μＡに定電流制御された転写バイアスが印加される。トナー像が転写された転写紙Ｐは、分離手段としての分離爪１６によって感光体１から分離され、搬送ガイド板３１にガイドされて図示しない定着手段としての定着装置へ搬送される。そして、定着装置を通過する事により、熱と圧力の作用でトナー像が転写紙Ｐ上に定着されて機外に排出される。
【００３７】
一方、転写後の感光体１の表面は、クリーニングユニット２０で転写後の残留トナーが除去され、さらに除電ランプ２で除電される。
【００３８】
次に、本発明の特徴点であるクリーニングユニットについて、実施例１、２に基づき説明する。
【００３９】
［実施例１］
まず、実施例１のクリーニングユニット２０について図１〜図９に基づいて説明する。実施例１のクリーニングユニット２０は、ソリッドゴム部材からなるクリーニングブレード２２と、このクリーニングブレード２２よりも感光体の表面移動方向上流側にプラス極性の転写残トナーを吸着させる第１クリーニング補助手段６０と、マイナス極性の転写残トナーを吸着させる第２クリーニング補助手段７０とを有している。
クリーニングブレード２２は、ブレードホルダー２１に固定されており、ブレードホルダー２１は、クリーニングユニット２０のケーシング１８の上部に固定されている。クリーニングブレード２２は、感光体１の回転方向に対して、トレイル方向に当接させている。
【００４０】
第１クリーニング補助手段６０は、ローラ状の芯材の表面に無数の起毛たるブラシが植毛された第１除去手段たる第１ファーブラシ２３と、金属（ＳＵＳ）からなる第１回収手段たる第１回収ローラ２４と、ブレードホルダ２５に保持されたブレード状のスクレーパ部材２６とを有している。第１回収ローラ２４には、図示しない電源装置から−２００［Ｖ］の直流（ＤＣ）電圧が印加されている。第１ファーブラシ２３は、ブラシの先端側を感光体１に接触させながら接触部で感光体１表面とは逆方向に移動させるように、図示しない駆動手段によって図中時計回りに回転駆動せしめられている。第１回収ローラ２４は、第１ファーブラシ２３に接触するように配設されている。そして、第１ファーブラシ２３のブラシに接触する表面を接触部でブラシとは逆方向に移動させるように、図示しない駆動手段によって図中時計回りに回転駆動せしめられる。ブレード状の第１スクレーパ部材２６は、その先端のエッジを所定の圧力で第１回収ローラ２４に当接させるように配設されている。
第１ファーブラシ２３のブラシには導電性繊維等の導電性材料が用いられている。そして、−２００［Ｖ］のバイアスが印加された第１回収ローラ２４に接触することで、第１回収ローラ２３からマイナス極性のバイアスが印加され、ブラシが回収ローラ２３よりも若干小さい（絶対値で）電位で帯電する。
第１ファーブラシ２３および第１回収ローラ２４は、図示しない操作部のコピースタートボタンが押されると、回転を開始する。また、コピースタートボタンが押されてから所定のタイミングで第１回収ローラ２４に−２００［Ｖ］のバイアスが印加される。
【００４１】
第１クリーニング補助手段６０よりも感光体１の表面移動方向上流側に設けられている第２クリーニング補助手段７０は、ローラ状の芯材の表面に無数の起毛たるブラシが植毛された第２除去手段たる第２ファーブラシ２７と、第２回収手段たる第２回収ローラ２８と、ブレードホルダ２９に保持されたブレード状の第２スクレーパ部材３０とを有している。第２回収ローラ２８には、図示しない電源装置から＋２００［Ｖ］の直流（ＤＣ）電圧が印加されている。第２ファーブラシ２７もまた、ブラシの先端側を感光体１に接触させながら接触部で感光体１表面とは逆方向に移動させるように、図示しない駆動手段によって図中時計回りに回転駆動せしめられている。第２回収ローラ２８は、第２ファーブラシ２７に接触するように配設されている。そして、第２ファーブラシ２７のブラシに接触する表面を接触部でブラシとは逆方向に移動させるように、図示しない駆動手段によって図中時計回りに回転駆動せしめられる。ブレード状の第２スクレーパ部材３０は、その先端のエッジを所定の圧力で第２回収ローラ２８に当接させるように配設されている。
第２ファーブラシ２７のブラシには導電性繊維等の導電性材料が用いられている。そして、２００［Ｖ］のバイアスが印加された第２回収ローラ２８に接触することで、第２回収ローラ２８から直流のバイアスが印加され、ブラシがバイアスよりも若干小さい（絶対値で）電位に帯電する。
第２ファーブラシ２７および第２回収ローラ２８は、図示しない操作部のコピースタートボタンが押されると、回転を開始する。また、コピースタートボタンが押されてから所定のタイミングで、第２回収ローラ２８に２００［Ｖ］のバイアスが印加される。
【００４２】
また、クリーニングユニット２０のケーシング１８内には、第１クリーニング補助手段６０、第２クリーニング補助手段７０、クリーニングブレード２２で回収した転写残トナーをクリーニングユニット２０の外部の図示しない廃トナー収容器やリサイクルトナー収容器などへ排出する排出スクリュ１９を備えている。
【００４３】
転写紙に転写されずに感光体上に残った転写残トナーは、入り口シール１７を通過して、第２クリーニング補助手段７０へ移動する。第２クリーニング補助手段７０へ移動した感光体上の転写残トナーのうちマイナス極性に帯電している転写残トナーは、プラス極性の第２ファーブラシ２７によって静電的に捕捉されて、感光体から除去される。第２ファーブラシ２７に捕捉されたマイナス極性の転写残トナーは、第２ファーブラシ２７の回転に伴って第２回収ローラ２８との接触位置に到達する。そして、第２ファーブラシ２７よりも大きい電位（トナーとは反対極性のプラス側に）になっている第２回収ローラ２８表面に転移した後、第２回収ローラ２８の回転に伴って第２スクレーパ部材３０のエッジに突き当たって掻き取られる。掻き取られたマイナス極性の転写残トナーは、重力によって排出スクリュ１９上に落下する。そして、排出スクリュ１９の駆動によってクリーニングユニット２０の外部の図示しない廃トナー収容器やリサイクルトナー収容器などへ搬送される。
【００４４】
第２ファーブラシ２７通過後の感光体上には、図２に示すようにそのほとんどがプラス極性に帯電した転写残トナーが担持されている。この第２ファーブラシ２７に除去されずに感光体上に残った転写残トナーは、第１クリーニング補助手段へ移動する。第１クリーニング補助手段へ移動した感光体上の転写残トナーのうちプラス極性に帯電している転写残トナーは、マイナス極性の第１ファーブラシ２３によって静電的に捕捉されて除去される。第１ファーブラシ２３に捕捉されたプラス極性の転写残トナーは、第１ファーブラシ２３の回転に伴って第１回収ローラ２４との接触位置に到達する。そして、第１ファーブラシ２３よりも大きい電位（トナーとは反対極性のマイナス側に）になっている第１回収ローラ２４表面に転移した後、第１回収ローラ２４の回転に伴って第１スクレーパ部材２６のエッジに突き当たって掻き取られる。掻き取られたマイナス極性の転写残トナーは、重力によって排出スクリュ１９上に落下する。そして、排出スクリュ１９の駆動によってクリーニングユニット２０の外部の図示しない廃トナー収容器やリサイクルトナー収容器などへ搬送される。
【００４５】
図２に示したように、第２ファーブラシ通過後の感光体上には、プラス極性に帯電した転写残トナーがほとんどであるので、第１ファーブラシ２３によって感光体上の転写残トナーのほとんどが回収される。これによって、第１ファーブラシ２３通過後の感光体に担持されている転写残トナーは、ほとんどないと考えられる。しかし、実際は異なり、第１ファーブラシ２３通過後の感光体には、マイナス極性の転写残トナーが所定量付着してる。
【００４６】
これは、第１ファーブラシ２３によって捕捉されたプラス極性の転写残トナーが第１回収ローラ２４へ転移するときに、転写残トナーへ電荷が注入されてプラス極性からマイナス極性へ電位が反転してしまう。このマイナス極性に変わった転写残トナーは、第１回収ローラ２４に静電的に転移せずに、そのまま第１ファーブラシ２３に捕捉されて第１回収ローラ２４を通過する。第１回収ローラ２４を通過したマイナス極性に反転した転写残トナーが第１ファーブラシ２３によって感光体１と対向する位置まで搬送されると、第１ファーブラシ２３から感光体１へ静電的に転移して、感光体１に再付着する。その結果、第１ファーブラシ２３通過後の感光体１には、所定量の転写残トナーが付着しているのである。
【００４７】
第１ファーブラシ２３通過後に感光体に付着した所定量の転写残トナーは、クリーニングブレード２２に堰き止められ、感光体１から掻き落とされる。
【００４８】
第１クリーニング補助手段６０、第２クリーニング補助手段７０で完全に転写残トナーを除去し、クリーニングブレード２２の先端に転写残トナーが無い状態になると、感光体１とクリーニングブレード２２との摩擦係数μが上がり摺擦抵抗が増大し、クリーニングブレード２２の先端が感光体表面に引っかかり、クリーニングブレード２２の先端がめくれてしまう。しかし、本実施形態クリーニングユニット２０においては、所定量の転写残トナーがクリーニングブレード２２に堰き止められるため、クリーニングブレード２２のめくれが発生するのを抑制することができる。
【００４９】
また、クリーニングブレード２２の先端に溜まった転写残トナーは、クリーニングブレード先端のスティックスリップの振動によって随時下方へ落とされるため、クリーニングブレード２２の先端に溜まり続けることはない。よって、クリーニングブレード２２に堰き止められる転写残トナー経時で増加することがない。すなわち、単位時間あたりのクリーニングブレード２２に堰き止められる転写残トナー量を所定量（０．５［ｍｇ／ｃｍ２］）以下に抑えることができれば、スジ状の異常画像は、抑制することができる。
【００５０】
次に、第１回収ローラ及び第２回収ローラに印加する電圧値について、検討する。先に示した図３５の従来の画像形成装置の転写ローラ１１５を取り外して、所定の画像を形成し、回収ローラ２２８に印加する電圧値を換えてブラシ通過後の感光体１０１に付着しているトナー量（ブラシ後残ＩＤ）を調べた。なお、この画像形成装置では、転写ローラ１１５を設けていないので、クリーニングユニット２２０に搬送されてくるトナーは、すべてマイナス極性に帯電している。図３にその結果を示す。
【００５１】
図３に示すように、印加電圧が２００〜３００［Ｖ］のときのブラシ後残ＩＤが最も少ないことがわかる。このため、回収ローラに印加する電圧を２００［Ｖ］〜３００［Ｖ］の範囲に設定することで、最も良好に感光体上の転写残トナーをファーブラシで静電的に捕捉することができる。
【００５２】
図３を見ると、３００［Ｖ］を越えると、ブラシ後残ＩＤが上昇していることがわかる。これは、上述したように、ファーブラシから回収ローラへ転移するときにトナーに電荷が注入されて極性が反転することによって、回収ローラによって回収されずに、感光体へ再付着するためである。
【００５３】
そこで、図４に示すように、図３５に示した従来の画像形成装置から回収ローラ２２８およびスクレーパ部材２２９を取り外し、ファーブラシ２２７に直接電圧を印加する装置を用いて、先程と同様に電圧値とブラシ後残ＩＤとの関係を調べた。なお、ファーブラシ２２７の汚れによるブラシ後残ＩＤの誤差を無くすため、ファーブラシ１回転分の感光体の領域（ファーブラシの直径が１８［ｍｍ］の場合は、感光体の周長５６．６［ｍｍ］の領域）を調べた。その結果を図５に示す。
図５に示すように、印加する電圧が１００［Ｖ］のときでは、ファーブラシの静電力が弱く、感光体上のトナーを十分に静電的に捕捉することができず、ブラシ後残ＩＤが高くなっている。しかし、印加する電圧が２００［Ｖ］の場合は、ブラシ後残ＩＤは、ほとんど０となり、感光体上のトナーをファーブラシで完全に除去できていることがわかる。このことから、図３に示す２００［Ｖ］以上のときのブラシ後残ＩＤが、ファーブラシから回収ローラへ転移するときにトナーに電荷が注入されて極性が反転することによって、感光体へ再付着したトナーであることが確認できる。
【００５４】
また、少なくとも第１ファーブラシ２３の体積抵抗を１０８〜１０９［Ω・ｃｍ］と高抵抗にすることが好ましい。これは、第１ファーブラシ２３が低抵抗だと、感光体上の転写残トナーに電荷が注入されて、プラス極性からマイナス極性に極性が変わってしまうおそれが高くなる。マイナス極性に変わってしまうと、第１ファーブラシ２３で捕捉することができず、クリーニングブレード２２へ移動してしまう。第１ファーブラシ２３の抵抗値が低いと、感光体１と第１ファーブラシ２３との間に流れる電流量が多くなり、感光体上多くの転写残トナーがプラス極性からマイナス極性に変化してしまい、多くの転写残トナーがクリーニングブレード２２へ移動してしまう。その結果、クリーニングブレード２２で堰き止められる転写残トナーが多くなり、スジ状の異常画像が生じる危険が高くなる。
【００５５】
少なくとも第１ファーブラシ２３の体積抵抗を１０８〜１０９［Ω・ｃｍ］と高抵抗にすることで、第１ファーブラシ２３から感光体１へ流れる電流量を抑えることができ、感光体上の転写残トナーに注入される電荷量を抑えることができる。その結果、感光体上の転写残トナーの極性が変わって、第１ファーブラシ２３に捕捉されなくなるのを抑制することができ、クリーニングブレード２２に堰き止められる転写残トナーが増えるのを抑制することができる。
【００５６】
また、第２ファーブラシ２７の体積抵抗を１０８〜１０９［Ω・ｃｍ］と高抵抗にすることで、感光体上のマイナス極性の転写残トナーの極性が変わることがなく、良好に感光体上のマイナス極性の転写残トナーを捕捉することができる。
【００５７】
また、上記では第２クリーニング補助手段７０の第２回収ローラ２８に印加するバイアスは、２００［Ｖ］の直流（ＤＣ）電圧としているが、直流（ＤＣ）電圧に交流（ＡＣ）電圧を重畳させたバイアスを印加するようにしても良い。先の図２に示すように、第２クリーニング手段７０通過後の感光体上の転写残トナーの帯電部分布は、ほとんどがプラス極性の分布でブロードになっており、極端にプラスの電位の高い転写残トナーも存在している。このように、プラス電位の高い転写残トナーは、感光体１に静電的に強く付着しているため、第１ファーブラシ２３の静電力では捕捉することができない。また、クリーニングブレード２２でも掻き落としにくい。よって、転写残トナーにこのような帯電電位の高い転写残トナーが存在すると、フィルミングが発生するおそれがある。
【００５８】
直流（ＤＣ）電圧に交流（ＡＣ）電圧を重畳させたバイアスを印加すると、図６に示すように、第２クリーニング手段７０通過後の感光体上の転写残トナーの帯電部分布がシャープ且つ低い帯電電位になり、極端にプラスの電位の高い転写残トナーが存在しなくなる。その結果、感光体１と強く静電的に付着する転写残トナーが存在するのが抑制され、第１ファーブラシ２３で容易にクリーニングすることができる。よって、クリーニングブレード２２に堰き止められる転写残トナーの量をより少なくすることができ、スジ状の異常画像が生じるのを良好に抑制することができる。
本実施形態では、交流（ＡＣ）電圧は、１．５［ＫＨｚ］、Ｖｐｐ：２００［Ｖ］のサイン波とし、直流（ＤＣ）電圧は、＋１００［Ｖ］とした。なお、交流（ＡＣ）電圧および直流（ＤＣ）電圧は上記条件に限られない。
【００５９】
上述では、第１クリーニング補助手段６０および第２クリーニング補助手段７０の感光体上の転写残トナーを静電的に捕捉する部材をファーブラシ２３、２７としているが、図７に示すような磁気ブラシとしてもよい。図７に示すように第１クリーニング補助手段６０には、磁性粒子３８を担持する第１磁気ブラシ担持体３７が設けられている。この第１磁気ブラシ担持体３７は、磁気ブラシを担持する回転可能なスリーブと、このスリーブ内に配設した固定のマグネットロール（磁石）とからなっており、マグネットロール（磁石）の磁気力で磁性粒子３８がスリーブ外面に拘束されて磁気ブラシとして付着保持されている。また、第１磁気ブラシ担持体３７を回転可能なマグネットロールとし、このロールの外面に直接に磁性粒子３８が磁気力で拘束されて磁気ブラシとして付着保持しても良い。第１磁気ブラシ担持体３７は、磁性粒子３８が感光体１および第１回収ローラ２４と接触するように配置する。
【００６０】
第２クリーニング補助手段７０に設けられた第２磁気ブラシ担持体３９も上記した第１磁気ブラシ担持体３７と同様な構成を有している。すなわち、磁気ブラシを担持する回転可能なスリーブと、このスリーブ内に配設した固定のマグネットロール（磁石）とからなっている。または、第２磁気ブラシ担持体３９を回転可能なマグネットロールとしている。マグネットロール（磁石）の磁気力でスリーブ外面またはグネットロールの外面に磁性粒子３８を付着保持させている。この第２磁気ブラシ担持体３９もまた、磁性粒子３８が感光体１および第２回収ローラ２８と接触するように配置する。
【００６１】
第１磁気ブラシ担持体３７に担持されている磁性粒子３８は、第１回収ローラ２４に印加されているマイナス極性のバイアスにより第１回収ローラ２４よりも絶対値が低い電位でマイナス極性に帯電している。また、第２磁気ブラシ担持体３９に担持されている磁性粒子３８は、第２回収ローラ２８に印加されているマイナス極性のバイアスにより第２回収ローラ２８よりも絶対値が低い電位でプラス極性に帯電している。
【００６２】
入り口シール１７を通過した感光体上の転写残トナーが、第２クリーニング手段７０へ移動すると、転写残トナーのうちマイナス極性の転写残トナーが第２磁気ブラシ担持体３９の磁気ブラシと摺擦して静電的に付着する。磁気ブラシに付着したマイナス極性の転写残トナーは、第２回収ローラ２８へ静電的に転移して回収される。
一方、第２磁気ブラシ担持体３９の磁気ブラシに付着しなかった感光体上の転写残トナーは、第１磁気ブラシ担持体３７が担持している磁気ブラシが感光体と摺擦している領域へ移動する。この領域で、転写残トナーのうちプラス極性の転写残トナーが第１磁気ブラシ担持体３７の磁気ブラシによって捕捉される。第１磁気ブラシ担持体３７の磁気ブラシによって捕捉されたプラス極性の転写残トナーは、第１回収ローラ２４に静電的に転移して回収される。
【００６３】
第１磁気ブラシ担持体３７の磁気ブラシ、第２磁気ブラシ担持体３９の磁気ブラシによって捕捉されなかった転写残トナーおよび、第１回収ローラ２４から電荷注入を受けて、マイナス極性に反転して、磁気ブラシから再び感光体上に転移した転写残トナーは、クリーニングブレード２２によって堰き止められて、感光体上から掻き落とされる。
【００６４】
また、第１クリーニング補助手段６０および第２クリーニング補助手段７０の感光体上の転写残トナーを静電的に捕捉する部材を図８に示すように、第１ローラ３５、第２ローラ３６としても良い。第１ローラ３５及び第２ローラは、ゴムまたは発泡ポリウレタンからなっている。第１ローラ３５は、第１回収ローラ２４に印加されるマイナス極性のバイアスによって第１回収ローラ２４よりも低いマイナスの電位を有しており、第２ローラ３６は、第２回収ローラ２８に印加されるプラス極性のバイアスによって第２回収ローラ２８よりも低いプラスの電位を有している。第１ローラ３５、第２ローラ３６ともに、図示しない駆動手段により反時計回りに回転している。
入り口シール１７を通過して第２ローラ３６へ移動してきた感光体上の転写残トナーのうち、マイナス極性の転写残トナーは、第２ローラ３６に静電的に捕捉される。そして、上述同様、回収ローラ２８に静電的に転移する。第２ローラ３６通過後の感光体上の転写残トナーのうちプラス極性の転写残トナーが第１ローラによって捕捉され、感光体上から除去される。
第１、第２ローラ３５、３６によって捕捉されなかった転写残トナーおよび、第１回収ローラから電荷注入を受けて、マイナス極性に反転して、第１ローラ３５から再び感光体上に転移した転写残トナーは、クリーニングブレード２２によって堰き止められて、感光体上から掻き落とされる。
【００６５】
この図８に示すクリーニングユニット２０においても、第１ローラ３５でプラス極性の転写残トナーをほとんど感光体から除去し、第２ローラ３６でほとんどのマイナス極性の転写残トナーを感光体から除去することで、クリーニングブレードで堰き止める転写残トナーを０．０５［ｍｇ／ｃｍ２］以下にすることができる。よって、クリーニングブレード２２で転写残トナーのすり抜けが発生しても、スジ状の異常画像となることがない。また、環境変動によって、マイナス極性の転写残トナーが多くなったりプラス極性の転写残トナーが多くなったりしても、クリーニングブレード２２で堰き止める転写残トナーが０．０５［ｍｇ／ｃｍ２］を越えることを抑制することができる。
【００６６】
また、図９に示すように、第１ローラ３５および第２ローラ３６を発泡ポリウレタンからなる内層３５ａ、３６ａとポリイミドチューブからなる表面層３５ｂ、３６ｂとの２層構造としても良い。
【００６７】
上記図１〜図９に基づいて説明した実施例１のクリーニングユニット２０は、第１クリーニング補助手段６０でプラス極性の転写残トナーをほとんど感光体から除去し、第２クリーニング補助手段７０でほとんどのマイナス極性の転写残トナーを感光体から除去することで、クリーニングブレード２２で堰き止める転写残トナーを所定量（例えば、０．０５［ｍｇ／ｃｍ２］）以下にすることができる。よって、クリーニングブレード２２で転写残トナーのすり抜けが発生しても、スジ状の異常画像となることがない。また、環境変動によって、マイナス極性の転写残トナーが多くなったりプラス極性の転写残トナーが多くなったりしても、第１および第２クリーニング補助手段でほとんどの転写残トナーを除去することができるので、クリーニングブレード２２で堰き止める転写残トナーが所定量（例えば、０．０５［ｍｇ／ｃｍ２］）を越えることを抑制することができる。
【００６８】
［実施例２］
次に、実施例２のクリーニングユニットについて図１０〜図２２に基づき説明する。図１０は、実施例２のクリーニングユニット１２０の１構成例を示す図である。なお、実施例１のクリーニングユニットと同一の構成については、同じ符号を付けている。また、以下に説明するのは、実施例２のクリーニングユニットの特徴点のみを説明し、実施例１と同様の部分については、説明を省略する。
【００６９】
図１０に示すように、実施例２のクリーニングユニット１２０は、第２クリーニング補助手段７０を、第２除去手段たる固定ブラシ３２のみとし、固定ブラシ３２に付着した転写残トナーを回収する回収ローラや、回収ローラに付着した転写残トナーを排出スクリューへ掻き落とすスクレーパ部材を設けないようにしたものである。固定ブラシ３２には、図示しない電源からプラス極性のバイアスが印加されている。また、固定ブラシ３２の体積抵抗を、１０５〜１０６［Ω・ｃｍ］としており、第１ファーブラシ２３の体積抵抗値１０８〜１０９［Ω・ｃｍ］よりも低くしている。また、上記固定ブラシ３２には、図示しない電源装置から２００［Ｖ］の直流（ＤＣ）電圧が印加されている。また、固定ブラシ３２に印加する電圧を直流（ＤＣ）電圧に交流（ＡＣ）を重畳させたものでも良い。直流（ＤＣ）電圧に交流（ＡＣ）電圧を重畳させることで、固定ブラシ３２通過後の感光体上の転写残トナーの帯電分布をシャープにすることができる。
【００７０】
入り口シール１７を通過して、第２クリーニング補助手段７０の固定ブラシ３２に搬送されてきた感光体上の転写残トナーのうち、マイナス極性の転写残トナーの一部は、固定ブラシ３２に静電的に吸着して感光体から除去される。また、感光体上マイナス極性の転写残トナーの一部は、固定ブラシ３２から電荷が注入されてプラス極性に反転する。固定ブラシ３２は、体積抵抗値を１０５〜１０６［Ω・ｃｍ］として比較的抵抗値を低くしているので、固定ブラシ３２から感光体１へ流れる電流量が多くなる。すると、感光体上のマイナス極性の転写残トナーへ注入される電荷量も多くなり、多くの転写残トナーがプラス極性に反転して、固定ブラシ３２に吸着せずに通過する。また、固定ブラシ３２に印加する電圧を高くして、プラス極性に反転させる転写残トナー量を多くし、固定ブラシ３２に吸着させる転写残トナーを少なくしても良い。
【００７１】
固定ブラシ３２通過後の転写残トナーは、電荷が注入されてプラス極性に反転した転写残トナーと、固定ブラシ３２に静電的に付着しなかったプラス極性の転写残トナーがほとんどとなっている。この固定ブラシ３２通過後の転写残トナーが第１クリーニング補助手段６０へ搬送されると、第１ファーブラシ２３によってプラス極性の転写残トナーが静電的に捕捉されて感光体から除去される。第１ファーブラシ２３に捕捉されたプラス極性の転写残トナーは、第１回収ローラ２４に静電的に転移し、第１スクレーパ部材２６によって掻き落とされる。また、第１ファーブラシ２３に捕捉されたいくつかの転写残トナーは、第１回収ローラ２４に転移する際の電荷注入でマイナス極性に反転して、感光体に再付着する。
【００７２】
感光体１に再付着した転写残トナーおよび、第１ファーブラシ２３に捕捉されなかった転写残トナーは、クリーニングブレード２２で堰き止められて、排出スクリュウ１９へ掻き落とされる。
【００７３】
第２クリーニング補助手段７０の固定ブラシ３２に吸着したマイナス極性の転写残トナーは、時間とともに少しずつ固定ブラシ３２から電荷が注入されてプラス極性に反転する。プラス極性に反転した転写残トナーは、固定ブラシ３２から感光体へ転移して、第１クリーニング補助手段６０へ搬送される。第１クリーニング補助手段６０へ搬送された固定ブラシ３２から感光体へ再付着した転写残トナーは、第１ファーブラシで捕捉されて回収手段たる第１回収ローラによって回収される。このように、第２クリーニング補助手段７０の固定ブラシ３２に吸着した転写残トナーの極性が反転して、感光体に随時付着していき、第１クリーニング補助手段６０の第１回収ローラ２４に随時回収される。
【００７４】
環境変動などで、マイナス極性の転写残トナーがほとんどとなっていても、第２クリーニング補助手段でマイナス極性の一部を固定ブラシ２３に一時的に静電的に吸着させるとともに、一部の転写残トナーをプラス極性に反転させることで、第２クリーニング補助手段通過後のマイナス極性の転写残トナーをほとんど無くすことができる。これにより、単位時間あたりに多くの転写残トナーがクリーニングブレード２２に堰き止められることが抑制され、スジ状の異常画像が生じるのを抑制することができる。一方、環境変動などで、プラス極性の転写残トナーがほとんどとなっていた場合は、実施例１のクリーニングユニットと同様に第１クリーニング補助手段で除去することで、クリーニングブレード２２に単位時間あたりに多くの転写残トナーがクリーニングブレード２２に堰き止められることが抑制される。これにより、スジ状の異常画像が生じるのを抑制することができる。
【００７５】
図１１は、感光体の直径６０［ｍｍ］、線速２００ｍｍ／ｓｅｃの画像形成装置を、Ａ４横送り、６％線画チャートの画像パターンを連続枚通紙をした時の固定ブラシへの入出力ＩＤの関係を示した図である。このとき、固定ブラシ２３に入力される転写残トナーは約０．０５［ｍｇ／ｃｍ２］で、トナー帯電量分布は先に示した図３６のように、約半分がプラス極性で、残りの半分がマイナス極性となっている。図１１の○でプロットされたグラフは、固定ブラシ３２へ入力される転写残トナーＩＤであり、図中×でプロットされたグラフは、固定ブラシ通過後の感光体上の転写残トナーＩＤを示している。
また、図１２は、固定ブラシ通過後の感光体上の逆極性トナー（ここでは、マイナス極性）の個数を調べてものである。なお、サンプル数は、５００個である。
【００７６】
図１１に示すように、２０枚目までは、固定ブラシ通過後の感光体上の転写残トナーＩＤが、固定ブラシ３２に入力される転写残トナーＩＤよりも少なくなっており、所定量のマイナス極性の転写残トナーが固定ブラシ３２に吸着している。一方、通紙枚数が３０枚以上になると、固定ブラシ３２に入力される転写残トナーＩＤと固定ブラシ通過後の感光体上の転写残トナーＩＤとが同じ値を示しており、平衡状態となっている。しかし、図１２を見ると、平衡状態となっていても、固定ブラシ通過後の感光体上のマイナス極性の転写残トナーの個数は、平衡状態前の個数とほとんど変化がないことがわかる。
このことから、固定ブラシ３２に入力される転写残トナーが約０．０５［ｍｇ／ｃｍ２］（マイナス極性の転写残トナーが０．０２５［ｍｇ／ｃｍ２］以下）であれば、固定ブラシ３２にマイナス極性のトナーを吸着させなくても、電荷注入だけで固定ブラシ通過後のマイナス極性の転写残トナーをほとんど無くすことができる。よって、転写残トナーが約０．０５［ｍｇ／ｃｍ２］（マイナス極性の転写残トナーが０．０２５［ｍｇ／ｃｍ２］以下）であれば、単位時間あたりに多くの転写残トナーがクリーニングブレード２２に堰き止められることが抑制され、スジ状の異常画像が生じるのを抑制することができる。
【００７７】
次に、低温低湿環境下で、上述と同じ条件、Ａ４横送り、６％線画チャートの画像パターンを連続枚通紙をした時の固定ブラシへの入出力ＩＤの関係を調べた。このとき、固定ブラシ３２に入力される転写残トナーは約０．０７［ｍｇ／ｃｍ２］で、トナー帯電量分布は先に示した図３９のように、転写残トナーのほとんどがマイナス極性となっている。
図１３は、その結果を示し、図１４は、固定ブラシ通過後の感光体上の逆極性トナー（ここでは、マイナス極性）の個数を調べてものである。
【００７８】
図１３、図１４からわかるように、通紙枚数が１０枚以下のときは、マイナス極性の転写残トナーの一部が固定ブラシ３２に吸着され、一部が固定ブラシ３２からの電荷注入によってプラス極性に反転することで、固定ブラシ通過後の感光体上にマイナス極性の転写残トナーをほとんど無くすことができる。その結果、、単位時間あたりにクリーニングブレード２２に堰き止められる転写残トナーの量を抑えることができ、スジ状の異常画像が生じるのを抑制することができる。
【００７９】
しかし、固定ブラシ３２に入力される転写残トナーＩＤと固定ブラシ通過後の感光体上の転写残トナーＩＤとが平衡状態となる、即ち、固定ブラシ３２で吸着する転写残トナーがほとんどなくなっている通紙枚数２０枚以上となると、固定ブラシ通過後の感光体上の逆極性トナーが増えてしまっていた。このように、この大量のマイナス極性のトナーは、第１ファーブラシ２３に捕捉されずに、クリーニングブレード２２で堰き止められる。その結果、スジ状の異常画像が生じてしまう。
【００８０】
このような状態とならないように、実施例２のクリーニングユニット１２０においては、清掃モードを設けて、所定のタイミングで固定ブラシ３２に印加する電圧値の絶対値を上げるように制御している。固定ブラシの電圧値の絶対値を上げることで、固定ブラシ３２の吸着している転写残トナーへの電荷注入が促進される。その結果、固定ブラシ３２に吸着している多くの転写残トナーの極性が反転して、感光体へ転移する。この転移した転写残トナーは、第１ファーブラシ２３に捕捉されて、回収される。
このような清掃モードを設けることで、固定ブラシ３２に吸着していた転写残トナーを無くすことができる。その結果、清掃モードを実行した後は、固定ブラシ３２にマイナス極性の転写残トナーの一部を吸着させることができ、環境変動などによりマイナス極性の転写残トナーが多くなっていても、固定ブラシ通過後の転写残トナーのほとんどをプラス極性の転写残トナーにすることができる。
【００８１】
清掃モードは、例えば、紙間で実行したり、通紙枚数をカウントして所定の枚数となったら実行したりする。
【００８２】
また、上記では、第２クリーニング補助手段７０を固定ブラシ３２としているが、図１５に示すように、ファーブラシ４１としても良い。このファーブラシ４１は、図示しない駆動手段によって図中時計回りに回転されている。このファーブラシ４１にも図示しない電源からプラス極性のバイアスが印加されている。ファーブラシ４１の体積抵抗は、１０８〜１０９［Ω・ｃｍ］としているが、これよりも低くしても良い。第２クリーニング補助手段をファーブラシ４１として回転させることで、感光体上のマイナス極性の転写残トナーを固定ブラシ３２よりも多く保持することができ、清掃モードの実施の間隔を延ばすことができる。
【００８３】
また、これらに限らず、図１６に示すように第２クリーニング補助手段７０をシート状の弾性部材３３としても良い。シート状の弾性部材３３は、シート状弾性部材３３を保持するホルダ３４に固定されて、感光体１に弾性的に当接している。シート状の弾性部材３３の体積抵抗は、１０５〜１０６［Ω・ｃｍ］としている。このシート状弾性部材３３においても、図示しない電源によってプラス極性のバイアスが印加されており、移動してきた感光体上のマイナス極性の転写残トナーの一部を一定期間保持すると、一部をプラス極性に反転させる。
【００８４】
また、図１７に示すように、第１クリーニング補助手段６０の感光体上の転写残トナーを捕捉する部材をゴムまたは発泡ウレタンなどのローラ３５とし、第２クリーニング補助手段７０を固定ブラシ３２としたり、図１８に示すように、第２クリーニング補助手段７０をシート状弾性部材３３としたり、図１９に示すように第２クリーニング補助手段７０もゴムまたは発泡ウレタンなどのローラ４２としても良い。さらに、図２０に示すように、第１クリーニング補助手段６０の感光体上の転写残トナーを捕捉する部材を磁気ブラシとし、第２クリーニング補助手段７０をシート状弾性部材３３としたり、図２１に示すように、第２クリーニング補助手段７０を固定ブラシ３２としても良い。
【００８５】
また、図２２に示すように、第１クリーニング補助手段６０の感光体上の転写残トナーを捕捉する部材と、第２クリーニング補助手段７０とを発泡ポリウレタンからなる内層３５ａ、３６ａとポリイミドチューブからなる表面層３５ｂ、３６ｂとの２層構造としても良い。
【００８６】
また、図２３に示すように、上記感光体１と上記クリーニングユニット２０（１２０）とを枠体８３内に一体に支持し、プリンタ本体に対して着脱自在なプロセスカートリッジ１００としてもよい。なお、図２３では、感光体１及びクリーニングユニット２０（１２０）のほか、帯電ローラ３及び現像装置６も一体に支持したプロセスカートリッジであるが、少なくとも、感光体１及びクリーニングユニット２０（１２０）を一体に支持したものであればよい。
【００８７】
上述では、感光体表面を帯電させる帯電手段としての帯電ローラ３を、感光体１表面に所定の距離で非接触で配置されているが、図２４に示すように感光体１に接触させても良い。また、帯電ローラ３に限らず、図２５に示すようなコロナチャージャー３ａで、感光体表面を帯電させるようにしても良い。また、帯電手段を図２６に示すような磁気ブラシ３ｂとしたり、図２７にようなファーブラシ３ｃとしたりしても良い。
【００８８】
次に、本実施形態に係る画像形成装置に用いられる感光体１について詳しく説明する。
本実施例の感光体１としては、導電性支持体を５０℃〜４００℃に加熱し、この支持体上に真空蒸着法、スパッタリング法、イオンプレーティング法、熱ＣＶＤ法、光ＣＶＤ法、プラズマＣＶＤ法等の成膜法によりアモルファスシリコン（ａ−Ｓｉ）からなる光導電層を有するアモルファスシリコン系感光体（以下、「ａ−Ｓｉ系感光体」と称する。）を用いることができる。なかでもプラズマＣＶＤ法、すなわち、原料ガスを直流または高周波あるいはマイクロ波グロー放電によって分解し、支持体上にａ−Ｓｉ堆積膜を形成する方法が好適なものとして用いられている。
【００８９】
上記ａ−Ｓｉ系感光体の層構成は例えば以下のようなものである。図２８は、層構成を説明するための模式的構成図である。図２８（ａ）に示すａ−Ｓｉ系感光体５００は、支持体５０１の上にａ−Ｓｉ：Ｈ，Ｘからなり光導電性を有する光導電層５０２が設けられている。図２８（ｂ）に示すａ−Ｓｉ系感光体５００は、支持体５０１の上に、ａ−Ｓｉ：Ｈ，Ｘからなり光導電性を有する光導電層５０２と、アモルファスシリコン系表面層５０３とから構成されている。図２８（ｃ）に示すａ−Ｓｉ系感光体５００は、支持体５０１の上に、ａ−Ｓｉ：Ｈ，Ｘからなり光導電性を有する光導電層５０２と、アモルファスシリコン系表面層５０３と、アモルファスシリコン系電荷注入阻止層５０４とから構成されている。図２８（ｄ）に示すａ−Ｓｉ系感光体５００は、支持体５０１の上に、光導電層５０２が設けられている。該光導電層５０２はａ−Ｓｉ：Ｈ，Ｘからなる電荷発生層５０５ならびに電荷輸送層５０６とからなり、その上にアモルファスシリコン系表面層５０３が設けられている。
【００９０】
上記ａ−Ｓｉ系感光体５００の支持体５０１としては、導電性でも電気絶縁性であってもよい。導電性支持体としては、Ａｌ、Ｃｒ、Ｍｏ、Ａｕ、Ｉｎ、Ｎｂ、Ｔｅ、Ｖ、Ｔｉ、Ｐｔ、Ｐｄ、Ｆｅ等の金属、およびこれらの合金、例えばステンレス等が挙げられる。また、ポリエステル、ポリエチレン、ポリカーボネート、セルロースアセテート、ポリプロピレン、ポリ塩化ビニル、ポリスチレン、ポリアミド等の合成樹脂のフィルムまたはシート、ガラス、セラミック等の電気絶縁性支持体の少なくとも感光層を形成する側の表面を導電処理した支持体も用いることができる。
上記支持体５０１の形状は平滑表面あるいは凹凸表面の円筒状または板状、無端ベルト状であることができ、その厚さは、所望通りの画像形成装置用感光体を形成し得るように適宜決定するが、画像形成装置用感光体としての可撓性が要求される場合には、支持体５０１としての機能が充分発揮できる範囲内で可能な限り薄くすることができる。しかしながら、支持体５０１は製造上および取り扱い上、機械的強度等の点から通常は１０［μｍ］以上とされる。
【００９１】
上記ａ−Ｓｉ系感光体５００には必要に応じて導電性の支持体５０１と光導電層５０２との間に、導電性支持体側からの電荷の注入を阻止する働きのある電荷注入阻止層５０４を設けるのがいっそう効果的である（図２８（ｃ））。すなわち、電荷注入阻止層５０４は感光層が一定極性の帯電処理をその自由表面に受けた際、支持体５０１側より光導電層５０２側に電荷が注入されるのを阻止する機能を有し、逆の極性の帯電処理を受けた際にはそのような機能が発揮されない、いわゆる極性依存性を有している。そのような機能を付与するために、電荷注入阻止層５０４には伝導性を制御する原子を光導電層５０２に比べ比較的多く含有させる。
上記電荷注入阻止層５０４の層厚は所望の電子写真特性が得られること、及び経済的効果等の点から好ましくは０．１〜５［μｍ］、より好ましくは０．３〜４［μｍ］、最適には０．５〜３［μｍ］とされるのが望ましい。
【００９２】
上記光導電層５０２は必要に応じて下引き層上に形成され、光導電層５０２の層厚は所望の電子写真特性が得られること及び経済的効果等の点から適宜所望にしたがって決定され、好ましくは１〜１００［μｍ］、より好ましくは２０〜５０［μｍ］、最適には２３〜４５［μｍ］とされるのが望ましい。
【００９３】
上記電荷輸送層５０６は、光導電層５０２を機能分離した場合の電荷を輸送する機能を主として奏する層である。この電荷輸送層５０６は、その構成要素として少なくともシリコン原子と炭素原子と弗素原子とを含み、必要であれば水素原子、酸素原子を含むａ−ＳｉＣ（Ｈ、Ｆ、Ｏ）からなり、所望の光導電特性、特に電荷保持特性，電荷発生特性および電荷輸送特性を有する。本発明においては酸素原子を含有することが特に好ましい。
上記電荷輸送層５０６の層厚は所望の電子写真特性が得られることおよび経済的効果などの点から適宜所望にしたがって決定され、電荷輸送層５０６については、好ましくは５〜５０［μｍ］、より好ましくは１０〜４０［μｍ］、最適には２０〜３０［μｍ］とされるのが望ましい。
【００９４】
上記電荷発生層５０５は、光導電層５０２を機能分離した場合の電荷を発生する機能を主として奏する層である。この電荷発生層５０５は、構成要素として少なくともシリコン原子を含み、実質的に炭素原子を含まず、必要であれば水素原子を含むａ−Ｓｉ：Ｈから成り、所望の光導電特性、特に電荷発生特性，電荷輸送特性を有する。
上記電荷発生層５０５の層厚は所望の電子写真特性が得られることおよび経済的効果等の点から適宜所望にしたがって決定され、好ましくは０．５〜１５［μｍ］、より好ましくは１〜１０［μｍ］、最適には１〜５［μｍ］とされる。
【００９５】
上記ａ−Ｓｉ系感光体５００には必要に応じて、上述のようにして支持体５０１上に形成された光導電層５０２の上に、更に表面層を設けることができ、アモルファスシリコン系表面層５０３を形成することが好ましい。このアモルファスシリコン系表面層５０３は自由表面を有し、主に耐湿性、連続繰り返し使用特性、電気的耐圧性、使用環境特性、耐久性において本発明の目的を達成するために設けられる。
上記アモルファスシリコン系表面層５０３の層厚としては、通常０．０１〜３［μｍ］、好適には０．０５〜２［μｍ］、最適には０．１〜１［μｍ］とされるのが望ましいものである。層厚が０．０１［μｍ］よりも薄いと感光体を使用中に摩耗等の理由により表面層５０３が失われてしまい、３［μｍ］を超えると残留電位の増加等の電子写真特性低下がみられる。
【００９６】
上記ａ−Ｓｉ系感光体５００は、表面硬度が高く、半導体レーザ（７７０〜８００［ｎｍ］）などの長波長光に高い感度を示し、しかも繰返し使用による劣化もほとんど認められない。このため、高速複写機やレーザービームプリンタ（ＬＢＰ）などに用いるのに好適な電子写真用感光体である。
【００９７】
また、導電性支持体上に感光層を設けこの感光層の上に被覆された表面層にフィラーを含有させたり、電荷輸送物質を架橋型電荷輸送材料とした有機感光体を用いても良い。有機感光体の表面層を粒子状物質を含有したり、電荷輸送物質として架橋型電荷輸送材料を用いることで、耐磨耗性を上げることができる。
【００９８】
感光体の表面層としては、ビニルフルオライド、ビニリデンフルオライド、クロロトリフルオロエチレン、テトラフルオロエチレン、ヘキサフルオロプロピレン、パーフルオロアルキルビニルエーテルより選ばれる化合物の重合体もしくは共重合が挙げられる。また、表面層に含有するフィラーとしては、有機フィラーと無機フィラーのどちらを用いても良いが、無機フィラーが特に好ましく用いられる。有機フィラー材料としては、ポリテトラフルオロエチレンのようなフッ素樹脂粉末、シリコーン樹脂粉末、ａ−カーボン粉末等が挙げられ、無機フィラー材料としては、シリカ、酸化錫、酸化亜鉛、酸化チタン、アルミナ、酸化ジルコニウム、酸化インジウム、酸化アンチモン、酸化ビスマス、酸化カルシウム、アンチモンをドープした酸化錫、錫をドープした酸化インジウム等の金属酸化物、フッ化錫、フッ化カルシウム、フッ化アルミニウム等の金属フッ化物、チタン酸カリウム、窒化硼素等が挙げられる。これらのフィラーは単独で用いても、或いは２種以上を混合して用いても良い。また、分散性を向上させるために、これらのフィラーは表面処理剤で表面処理を行っても良い。
【００９９】
導電性支持体としては、アルミニウム、ステンレスなどの金属、紙、プラスチックなどの円筒状シリンダーまたはフィルムが用いられる。これらの支持体の上には、バリアー機能と下引機能をもつ下引層（接着層）を設けることができる。下引層は感光層の接着性改良、塗工性改良、支持体の保護、支持体上の欠陥の被覆、支持体からの電荷注入性改良、感光層の電気的被覆に対する保護などのために形成される。下引層の材料としては、ポリビニルアルコール、ポリ−Ｎ−ビニルイミダゾール、ポリエチレンオキシド、エチルセルロース、メチルセルロース、エチレン−アクリル酸コポリマー、カゼイン、ポリアミド、共重合ナイロン、ニカワ、ゼラチン、等が知られている。これらはそれぞれに適した溶剤に溶解されて支持体上に塗布される。その膜厚は０．２〜２μｍ程度である。
【０１００】
感光層としては、電荷発生物質を含有する電荷発生層と電荷輸送物質を含有する電荷輸送層との積層構造を有するもの、電荷発生物質と電荷輸送物質を含有する単一の層から成るものなどがある。
【０１０１】
電荷発生物質としては、ピリリウム、チオピリリウム系染料、フタロシアニン系顔料アントアントロン顔料、ジベンズピレンキノン顔料、ピラントロン顔料、トリスアゾ顔料、ジスアゾ顔料、アゾ顔料、インジゴ顔料、キナクリドン系顔料、非対称キノシアニン、キノシアニンなどを用いることができる。
【０１０２】
電荷輸送物質としては、架橋型電荷輸送材料を使用することが好ましい。具体的には、ピレン、Ｎ−エチルカルバゾール、Ｎ−イソプロピルカルバゾール、Ｎ−メチル−Ｎ−フェニルヒドラジノ−３−メチリデン−９−エチルカルバゾール、Ｎ，Ｎ−ジフェニルヒドラジノ−３−メチリデン−９−エチルカルバゾール、Ｎ，Ｎ−ジフェニルヒドラジノ−３−メチリデン−１０−エチルフェノチアジン、Ｎ，Ｎ−ジフェニルヒドラジノ−３−メチリデン−１０−エチルフェノキサジン、ｐ−ジエチルアミノベンズアルデヒド−Ｎ，Ｎ−ジフェニルヒドラゾン、ｐ−ジエチルアミノベンズアルデヒノ−２−メチルフェニル）−フェニルメタン等のトリアリールメタン系化合物、１，１−ビス（４−Ｎ，Ｎ−ジエチルアミノ−２−メチルフェニル）ヘプタン、１，１，２，２−テトラキス（４−Ｎ，Ｎ−ジメチルアミノ−２−メチルフェニル）エタン等のポリアリールアルカン類、およびトリアリールアミン類などを用いることができる。
【０１０３】
次に、本実施形態の画像形成装置に好適に用いられるトナーについて、説明する。本実施形態においては、形状係数ＳＦ−１が１００〜１５０である真円度の高い球形トナーを用いている。トナーの形状が球形に近くなると、トナーとトナーあるいはトナーと感光体との接触状態が点接触になるために、トナー同士の吸着力は弱くなり従って流動性が高くなり、また、トナーと感光体との吸着力も弱くなって、転写率は高くなる。形状係数ＳＦ−１が１５０を超えると、転写率が低下するため好ましくない。
【０１０４】
図２９は、形状係数ＳＦ−１を説明するためにトナーの形状を模式的に表した図である。形状係数ＳＦ−１は、トナー形状の丸さの割合を示すものであり、下記式（１）で表される。トナーを２次元平面に投影してできる形状の最大長ＭＸＬＮＧの二乗を図形面積ＡＲＥＡで除して、１００π／４を乗じた値である。
【０１０５】
次に、本発明のクリーニング装置をカラー画像形成装置に適用した例について、図３０、図３１を用いて説明する。
【０１０６】
図３０は、本発明のクリーニング装置をいわゆるタンデム型のフルカラー画像形成装置に適用した例を示す図である。この画像形成装置は、水平面上に設置したときに、水平方向に長尺な状態となるように、複数のローラ６５、６４、６７に張架された中間転写ベルト６９を備えている。この中間転写ベルト６９は、図中矢印Ｄの向きに表面移動する。中間転写ベルト６９における水平方向に延在する平面部分には、４つの感光体１Ｙ、１Ｍ、１Ｃ、１Ｋが並んで配設されている。各感光体１の周囲には、それぞれ、帯電手段としての帯電ローラ３、現像手段としての現像装置５、除電ランプ２、クリーニングユニット２０（１２０）等が設けられている。また、この画像形成装置は、複数枚の記録材としての記録紙Ｐを収納する図示しない給紙カセットを備えている。給紙カセット内の記録紙Ｐは、図示しない給紙ローラにより１枚ずつ図示しないレジストローラ対でタイミング調整された後、２次転写ローラ６６と中間転写ベルト６９との間の２次転写領域に送り出される。
【０１０７】
本画像形成装置において画像形成を行う場合、まず、各感光体１を図３０中反時計方向に回転駆動するとともに中間転写ベルト６９を図３０中反時計方向に回転駆動する。そして、各感光体１の表面を帯電ローラ３で一様に帯電した後、各感光体１の表面に対して画像データで変調されたレーザ４を照射して、各感光体１の表面に各色の静電潜像を形成する。各感光体１の表面上の各色静電潜像には、現像装置５により各色トナーがそれぞれ付着し、これにより各色トナー像が形成される。この各色トナー像は、中間転写ベルト６９上に互いに重なり合うように１次転写される。中間転写ベルト６９上の各色トナー像は、互いに重なり合った状態で、２次転写ローラ６６により２次転写領域に搬送されてきた記録紙Ｐ上に転写される。このようにしてトナー像が転写された記録紙Ｐは、図示しない定着部に搬送され、記録紙Ｐを加熱、加圧して、記録紙Ｐ上のトナー像を記録紙Ｐに定着させる。定着後の記録紙Ｐは、図示しない排紙トレー上に排出する。転写後の各感光体１の表面に残留した転写残トナーは、クリーニングユニット２０（１２０）で除去される。また、中間転写ベルト６９の表面に残留した転写残トナーは、中間転写ベルトクリーニングユニット２０（１２０）で除去される。
【０１０８】
タンデム型のフルカラー画像形成装置において、感光体１の表面に残留した転写残トナーをクリーニングするクリーニングユニットとして、実施例１または２のクリーニングユニット２０（１２０）を用いることで、球形トナーであっても、感光体表面から転写残トナーを良好に除去することができる。また、環境変動によって転写残トナーのほとんどがプラス極性になったり、マイナス極性となったりしても、良好に転写残トナーを感光体１から除去することができる。転写紙に転写されずに中間転写ベルト６９の表面に残留した転写残トナーをクリーニングする中間転写ベルトクリーニングユニットとして、実施例１または２のクリーニングユニット２０、１２０を用いることで、球形トナーであっても、中間転写ベルト６９表面から転写残トナーを良好に除去することができる。また、環境変動によって中間転写ベルト上の転写残トナーのほとんどがプラス極性になったり、マイナス極性となったりしても、良好に転写残トナーを中間転写ベルト６９から除去することができる。
【０１０９】
図３１は、いわゆる１ドラム型のフルカラー画像形成装置である。この画像形成装置は、図示しない本体筐体内に、感光体１が収納されている。この感光体１の周囲には、それぞれ、帯電手段としての帯電ローラ３、シアン（Ｃ）、マゼンタ（Ｍ）、イエロー（Ｙ）、黒（Ｋ）の各色に対応した現像装置５Ｃ，５Ｍ，５Ｙ，５Ｋ、中間転写手段としての中間転写部７６、クリーニング手段としてのクリーニングユニット２０（１２０）等が設けられている。また、この画像形成装置は、複数枚の記録材としての記録紙Ｐを収納する図示しない給紙カセットを備えている。給紙カセット内の記録紙は、図示しない給紙ローラにより１枚ずつ図示しないレジストローラ対でタイミング調整された後、２次転写部７７と中間転写部７６との間の２次転写領域に送り出される。
【０１１０】
本画像形成装置において画像形成を行う場合、まず、感光体１を図３１中反時計方向に回転駆動するとともに中間転写部７６の中間転写ベルト７６ａを図３１中時計方向に回転駆動する。そして、感光体１の表面を帯電ローラ３で一様に帯電した後、感光体１の表面に対してＣ用画像データで変調されたレーザ４を照射して、感光体２の表面にＣ用静電潜像を形成する。そして、このＣ用静電潜像を現像装置５ＣによりＣトナーで現像を行う。これにより得られたＣ用トナー像は、中間転写部７６の中間転写ベルト上に１次転写される。その後、感光体１の表面に残留した転写残トナーをクリーニングユニット２０（１２０）で除去した後、再び感光体１の表面を帯電ローラ３で一様に帯電する。次に、感光体１の表面に対してＭ用画像データで変調されたレーザ４を照射して、感光体１の表面にＭ用静電潜像を形成する。そして、このＭ用静電潜像を現像装置５ＭによりＭトナーで現像を行う。これにより得られたＭ用トナー像は、中間転写部７６の中間転写ベルト上に既に１次転写されているＣ用トナー像と重なり合うようにして、中間転写ベルト上に１次転写される。以後、Ｙ及びＫについても、同様に中間転写ベルト上に１次転写する。このようにして互いに重なり合った状態の中間転写ベルト上の各色トナー像は、２次転写部７７により２次転写領域に搬送されてきた記録紙Ｐ上に転写される。このようにしてトナー像が転写された記録紙Ｐは、紙搬送ベルト７９によって、図示しない定着部に搬送される。この定着部で、記録紙Ｐを加熱、加圧して、記録紙Ｐ上のトナー像を記録紙Ｐに定着させる。定着後の記録紙Ｐは、図示しない排紙トレー上に排出する。
【０１１１】
この図３１に示した１ドラム型のフルカラー画像形成装置において、感光体１の表面に残留した転写残トナーをクリーニングするクリーニングユニットとして、実施例１または２のクリーニングユニット２０（１２０）を用いることで、球形トナーであっても、感光体表面から転写残トナーを良好に除去することができる。また、環境変動によって、転写残トナーのほとんどがプラス極性になったり、マイナス極性となったりしても、良好に転写残トナーを感光体１から除去することができる。また、転写紙に転写されずに中間転写ベルト７６ａの表面に残留した転写残トナーをクリーニングする中間転写ベルトクリーニングユニットとして、実施例１または２のクリーニングユニット２０（１２０）を用いることで、球形トナーであっても、中間転写ベルト７６ａ表面から転写残トナーを良好に除去することができる。また、環境変動によって中間転写ベルト上の転写残トナーのほとんどがプラス極性になったり、マイナス極性となったりしても、良好に転写残トナーを中間転写ベルト６９から除去することができる。
【０１１２】
また、図３２に示すように、実施例１または２のクリーニングユニット２０（１２０）を紙搬送ベルト８１に付着したトナーを除去する紙搬送ベルトクリーニングユニットに用いても良い。用紙ジャムが起こると、感光体上のトナー像が紙搬送ベルト８１に転写されてしまい、紙搬送ベルトが汚れてしまう。また、現像ローラ内の帯電量の低いトナーやプラスに帯電したトナーが感光体上紙間に付着する場合がある。この紙間に付着しているトナーは、紙搬送ベルト８１に転写され、紙搬送ベルトを汚してしまう。紙ジャムなどによって、紙搬送ベルトに付着したトナーの一部は、転写ローラによって電荷が注入されて、極性が反転する。その結果、紙搬送ベルトに汚れとして転写されたトナーには、プラス極性とマイナス極性とが混在する。しかし、紙搬送ベルトクリーニングユニットとして、実施例１または２のクリーニングユニット２０（１２０）を用いることで、プラス極性とマイナス極性とが混在している紙搬送ベルト上のトナーを良好に除去することができる。
【０１１３】
（１）
以上、本実施形態のクリーニングユニットによれば、環境変動などが生じても、クリーニングブレードに堰き止められる単位時間あたりの転写残トナーの量を僅かにすることができるので、トナーのすり抜けが発生しても、スジ状異常画像が生じることがない。
（２）
また、本実施形態のクリーニングユニットは、上記第１除去手段で除去したトナーおよび上記第２除去手段で除去したトナーを回収手段たる回収ローラで回収するので、第１除去手段および第２除去手段に除去したトナーが溜まることがない。その結果、感光体上の転写残トナーを経時に渡り良好に除去することができる。
（３）
実施例１のクリーニングユニットでは、上記第１除去手段に付着したトナーを第１回収手段たる第１回収ローラで回収し、上記第２除去手段に付着したトナーを第２回収手段たる第２回収ローラで回収している。これにより、各除去手段に付着した転写残トナーは随時回収ローラにされるため、各除去手段に転写残トナーが溜まることがない。その結果、感光体上の転写残トナーを経時に渡り良好に除去することができる。
（４）
実施例２のクリーニングユニットでは、上記第２除去手段で除去したトナーを、第２除去手段で極性を反転させて、感光体に放出し第１除去手段に静電的に吸着させて、第１除去手段から第１奇襲ローラで回収するようにしている。このように、実施例２のクリーニングユニットでは第２回収ローラを設けないので、その分クリーニングユニットを小型化することができる。
（５）
また、実施例２のクリーニングユニットでは、第２除去手段を固定ブラシとしている。固定ブラシとすることで、ローラ状の部材よりも感光体の法線方向の長さを短くすることができ、クリーニングユニットをさらに小型化することができる。
（６）
また、第２除去手段をシート状弾性体としても、ローラ状の部材よりも感光体の法線方向の長さを短くすることができ、クリーニングユニットをさらに小型化することができる。
（７）
また、除去手段を回転可能なブラシローラとすることで、感光体との接触面積が増し、ブラシローラに多くの転写残トナーを溜めることができる。また、除去手段が回収ローラと接触している場合は、回収ローラとの接触箇所が刻々と変化する。よって、円周上まんべんなくブラシローラに付着した転写残トナーを除去することができ、ブラシローラの一箇所にトナーが溜まることがない。よって、感光体上の転写残トナーを経時に渡り良好に除去することができる。
（８）
また、除去手段を回転可能なローラとしても、上記（７）と同様な効果を得ることができる。
（９）
また、上記第１除去手段には、マイナス極性の直流電圧が印加されており、上記第２除去手段には、プラス極性の直流電圧を印加して、第１除去手段と第２除去手段に印加する直流電圧の極性を異ならせている。これにより、第１除去手段は、マイナス極性の電位を有することとなり、感光体上のプラス極性のトナーを静電的に除去することができる。一方、第２除去手段は、プラス極性の電位を有することとなり、感光体上のマイナス極性のトナーを静電的に除去することができる。
（１０）
また、第２除去手段に直流電圧に交流電圧が重畳された電圧を印加することで、第２除去手段通過後の感光体上の転写残トナーの帯電分布をシャープかつ、帯電電位の絶対値を小さくすることができる。これにより、帯電電位の高い転写残トナーを無くすことができ、感光体に静電的に強く吸着する転写残トナーを無くすことができる。よって、第１除去手段で転写残トナーを良好に静電的に除去することができる。
（１１）
また、少なくとも第１除去手段の抵抗を高くすることで、第１除去手段から感光体へ流れる電流量を少なくすることができる。これにより、感光体上の転写残トナーを第１除去手段で除去する際に、第１除去手段から転写残トナーに電荷が注入されて、極性が反転してしまうのを抑制することができる。これにより、第１除去手段で除去することができずに、クリーニングブレードで堰き止められる転写残トナー量が増えるのを抑制することができる。
（１２）
また、上記第２除去手段の電気抵抗値を低くすることで、第２除去手段から感光体へ流れる電流量を多くすることができる。その結果、第２除去手段に搬送されてきた感光体上の転写残トナーに第２除去手段から電荷が注入されて、極性が反転する転写残トナーが多くなる。これにより、第２除去手段で除去する転写残トナーの量を少なくすることができる。よって、第２除去手段に転写残トナーが溜まるスピードが遅くすることができる。その結果、第２回収ローラを設けていない実施例２のクリーニングユニットの場合、清掃モードの実施のタイミングを遅らせることができる。
（１３）
また、本実施形態の画像形成装置によれば、転写後の感光体に付着している転写残トナーを除去するクリーニングユニットとして、上記（１）〜（１２）特徴を有するクリーニングユニットを用いたので、スジ状の異常画像などが生じることなく高品位な画像を得ることができる。
（１４）
また、転写体たる中間転写体をクリーニングするクリーニングユニットとして、上記（１）〜（１２）特徴を有するクリーニングユニットを用いたので、転写紙に転写されずに中間転写体に残った２次転写残トナーを良好に除去することができる。
（１５）
また、転写紙を担持して搬送する紙搬送ベルトのクリーニングユニットとして、上記（１）〜（１２）特徴を有するクリーニングユニットを用いたので、紙搬送ベルトに付着した不要なトナーを良好に除去することができる。
（１６）
また、１ドラム型のフルカラー画像形成装置のクリーニングユニットとして、上記（１）〜（１２）の特徴を有するクリーニングユニットを用いたので、スジ状の異常画像などが生じることなく高品位なフルカラー画像を得ることができる。
（１７）
また、タンデム型のフルカラー画像形成装置に上記（１）〜（１２）の特徴を有するクリーニングユニットを設けたので、スジ状の異常画像などが生じることなく高品位なフルカラー画像を得ることができる。
（１８）
また、トナーとして、形状係数ＳＦ−１が１００〜１５０の真円度の高い球形トナーを用いている。トナーの形状が球形に近くなると、トナーとトナーあるいはトナーと感光体との接触状態が点接触になるために、トナー同士の吸着力は弱くなり従って流動性が高くなり、また、トナーと感光体との吸着力も弱くなって、転写率を高くすることができ、高品の画像を得ることができる。
（１９）
また、感光体として、感光層がアモルファスシリコンからなるものを用いていることで、感光体の摩耗を抑制することができる。これにより、摩耗によって、感光体表面が削れて凹凸ができるの抑制することができる。その結果、感光体とクリーニングブレードとの接触圧が軸方向で均一に保たれ、トナーのすり抜けが発生し易い感光体とクリーニングブレードとの接触圧が低い部分が生じるのを抑制することができ、トナーのすり抜けを抑制することができる。
（２０）
また、感光体として、表面層又は感光層に粒子状物質を含有する材料からなるものを用いることでも、感光体の耐摩耗性を向上することができる。これにより、摩耗によって、感光体表面が削れて凹凸ができるの抑制することができる。その結果、感光体とクリーニングブレードとの接触圧が軸方向で均一に保たれ、トナーのすり抜けが発生し易い感光体とクリーニングブレードとの接触圧が低い部分が生じるのを抑制することができ、トナーのすり抜けを抑制することができる。
（２１）
また、感光体として、架橋型電荷輸送材料を有するものを用いることでも、感光体の耐磨耗性性を向上させることができる。
（２２）
また、感光体と少なくとも上記（１）〜（１２）の特徴を有するクリーニングユニットを一体に備えたプロセスカートリッジとすることで、クリーニングユニットまたは感光体の交換を容易に行うことができる。
【図面の簡単な説明】
【０１１４】
【図１】実施例１のクリーニングユニットを備えた画像形成装置を示す図。
【図２】第２クリーニング補助手段通過後の感光体上転写残トナーの帯電分布を示す図。
【図３】回収ローラへの印加電圧とファーブラシ通過後の感光体上の転写残トナーＩＤとの関係を示す図。
【図４】ファーブラシに直接電圧を印加するようにしたクリーニングユニットを備えたが画像形成装置を示す図。
【図５】ファーブラシへの印加電圧とファーブラシ通過後の感光体上の転写残トナーＩＤとの関係を示す図。
【図６】第２回収ローラに直流電圧に交流電圧を重畳したバイアスを印加したときの、第２クリーニング補助手段通過後の感光体上の転写残トナーの帯電分布を示す図。
【図７】第１クリーニング補助手段の感光体上の転写残トナーを捕捉する部材および第２クリーニング補助手段の感光体上の転写残トナーを捕捉する部材を磁気ブラシとした実施例１のクリーニングユニットを備えた画像形成装置を示す図。
【図８】第１クリーニング補助手段の感光体上の転写残トナーを捕捉する部材および第２クリーニング補助手段の感光体上の転写残トナーを捕捉する部材を弾性ローラとした実施例１のクリーニングユニットを備えた画像形成装置を示す図。
【図９】第１クリーニング補助手段の感光体上の転写残トナーを捕捉する部材および第２クリーニング補助手段の感光体上の転写残トナーを捕捉する部材を発泡ポリウレタンからなる内層とポリイミドチューブからなる表面層との２層構造のローラとした実施例１のクリーニングユニットを備えた画像形成装置を示す図。
【図１０】実施例２のクリーニングユニットを備えた画像形成装置を示す図。
【図１１】連続通紙時の固定ブラシ通過前の感光体上の転写残トナーＩＤと、通過後の感光体上の転写残トナーＩＤとの関係を示す図。
【図１２】連続通紙時の固定ブラシ通過後の感光体上のマイナス極性のトナー個数を示す図。
【図１３】低温低湿環境下での連続通紙時の固定ブラシ通過前の感光体上の転写残トナーＩＤと、通過後の感光体上の転写残トナーＩＤとの関係を示す図。
【図１４】低温低湿環境下での連続通紙時の固定ブラシ通過後の感光体上のマイナス極性のトナー個数を示す図。
【図１５】第２クリーニング補助手段をファーブラシローラとした実施例２のクリーニングユニットを備えた画像形成装置を示す図。
【図１６】第２クリーニング補助手段をシート状弾性体とした実施例２のクリーニングユニットを備えた画像形成装置を示す図。
【図１７】第１クリーニング補助手段の感光体上の転写残トナーを捕捉する部材をローラとし、第２クリーニング補助手段を固定ブラシとした実施例２のクリーニングユニットを備えた画像形成装置を示す図。
【図１８】第１クリーニング補助手段の感光体上の転写残トナーを捕捉する部材をローラとし、第２クリーニング補助手段をシート状弾性体とした実施例２のクリーニングユニットを備えた画像形成装置を示す図。
【図１９】第１クリーニング補助手段の感光体上の転写残トナーを捕捉する部材および第２クリーニング補助手段をローラとした実施例２のクリーニングユニットを備えた画像形成装置を示す図。
【図２０】第１クリーニング補助手段の感光体上の転写残トナーを捕捉する部材を磁気ブラシとし、第２クリーニング補助手段をシート状弾性体とした実施例２のクリーニングユニットを備えた画像形成装置を示す図。
【図２１】第１クリーニング補助手段の感光体上の転写残トナーを捕捉する部材を磁気ブラシとし、第２クリーニング補助手段を固定ブラシとした実施例２のクリーニングユニットを備えた画像形成装置を示す図。
【図２２】第１クリーニング補助手段の感光体上の転写残トナーを捕捉する部材および第２クリーニング補助手段を発泡ポリウレタンからなる内層とポリイミドチューブからなる表面層との２層構造のローラとした実施例２のクリーニングユニットを備えた画像形成装置を示す図。
【図２３】プロセスカートリッジの概略構成図。
【図２４】帯電ローラを感光体に接触させた構成を示す図。
【図２５】帯電手段をコロナチャージャーとした構成を示す図。
【図２６】帯電手段を磁気ブラシブローラとした構成を示す図。
【図２７】帯電手段をファーブラシローラとした構成を示す図。
【図２８】アモルファスシリコン感光体の層構成の説明図。
【図２９】形状係数ＳＦ−１を説明するためにトナーの形状を模式的に表した図。
【図３０】タンデム型フルカラー画像形成装置の要部構成図。
【図３１】１ドラム型のフルカラー画像形成装置の要部構成図。
【図３２】紙搬送ベルトに実施例１または２のクリーニングユニットを用いた構成を示す。
【図３３】クリーニングブレードに堰き止められるトナーと、クリーニングブレード通過後の感光体に付着した転写残トナーとの関係を示す図。
【図３４】（ａ）は、クリーニングブレードに堰き止められる転写残トナーが多いときにおける、転写残トナーのすり抜けが発生したときの様子を示す図。（ｂ）は、クリーニングブレードに堰き止められる転写残トナーが少ないときにおける、転写残トナーのすり抜けが発生したときの様子を示す図。
【図３５】従来の画像形成装置の一例を示す図。
【図３６】転写前の感光体上のトナーの帯電分布と、転写後の感光体上のトナーの帯電分布を示す図。
【図３７】各環境における転写前の感光体上のトナーの帯電分布を示す図。
【図３８】高温高湿環境下における転写前の感光体上のトナーの帯電分布と、転写後の感光体上のトナーの帯電分布を示す図。
【図３９】低温低湿環境下における転写前の感光体上のトナーの帯電分布と、転写後の感光体上のトナーの帯電分布とを示す図。
【符号の説明】
【０１１５】
１：感光体ドラム
２：除電ランプ
３：帯電ローラ
４：レーザー光
６：現像装置
１５：転写ローラ
１６：分離爪
２０：クリーニングユニット
２１：ブレードホルダ
２２：クリーニングブレード
２３：第１ファーブラシ
２４：第１回収ローラ
２６：第１スクレーパ部材
２７：第２ファーブラシ
２８：第２回収ローラ
３０：第２スクレーパ部材
３１：搬送ガイド板
３２：固定ブラシ
４０：遮光板
６０：第１クリーニング補助手段
７０：第２クリーニング補助手段
【図１】
2007101968.tif 000003
【図２】
2007101968.tif 000004
【図３】
2007101968.tif 000005
【図４】
2007101968.tif 000006
【図５】
2007101968.tif 000007
【図６】
2007101968.tif 000008
【図７】
2007101968.tif 000009
【図８】
2007101968.tif 000010
【図９】
2007101968.tif 000011
【図１０】
2007101968.tif 000012
【図１１】
2007101968.tif 000013
【図１２】
2007101968.tif 000014
【図１３】
2007101968.tif 000015
【図１４】
2007101968.tif 000016
【図１５】
2007101968.tif 000017
【図１６】
2007101968.tif 000018
【図１７】
2007101968.tif 000019
【図１８】
2007101968.tif 000020
【図１９】
2007101968.tif 000021
【図２０】
2007101968.tif 000022
【図２１】
2007101968.tif 000023
【図２２】
2007101968.tif 000024
【図２３】
2007101968.tif 000025
【図２４】
2007101968.tif 000026
【図２５】
2007101968.tif 000027
【図２６】
2007101968.tif 000028
【図２７】
2007101968.tif 000029
【図２８】
2007101968.tif 000030
【図２９】
2007101968.tif 000031
【図３０】
2007101968.tif 000032
【図３１】
2007101968.tif 000033
【図３２】
2007101968.tif 000034
【図３３】
2007101968.tif 000035
【図３４】
2007101968.tif 000036
【図３５】
2007101968.tif 000037
【図３６】
2007101968.tif 000038
【図３７】
2007101968.tif 000039
【図３８】
2007101968.tif 000040
【図３９】
2007101968.tif 000041